(57)【要約】  本明細書で説明される技法は、既存のＬＴＥロケーションサポートを利用することによって、ユーザ機器（ＵＥ）による５Ｇ新無線（ＮＲ）ワイヤレスアクセスのためのロケーションサポートを可能にすることに向けられる。より具体的には、ＬＴＥ測位プロトコル（ＬＰＰ）メッセージは、ＮＲワイヤレスアクセスを有するＵＥと、５Ｇコアネットワーク中のロケーションサーバ（例えば、ＬＭＦ）との間でＮＧ−ＲＡＮを介して通信され得る。ＬＰＰメッセージは、Ａ−ＧＮＳＳまたはＥ−ＵＴＲＡに関するＯＴＤＯＡなどの、ＵＥによるＲＡＴ独立型およびＥ−ＵＴＲＡ位置決め方法をサポートし得る。ロケーションサーバは、ＯＴＤＯＡに関連した情報を、ＬＴＥワイヤレスアクセスをサポートするｎｇ−ｅＮＢまたはｅＮＢから取得し得る。ＵＥは、ＲＡＴ独立型およびＥ−ＵＴＲＡ位置決め方法についての測定結果を取得するために５Ｇ基地局（例えば、ｇＮＢ）から測定ギャップを要求し得、かつＥ−ＵＴＲＡ測定に必要とされるＬＴＥタイミングを取得するためにアイドル期間を要求し得る。【選択図】  図８
2020522167.tif 000002
【特許請求の範囲】
【請求項１】
ユーザ機器（ＵＥ）において、第５世代（５Ｇ）新無線（ＮＲ）ワイヤレスアクセスによって前記ＵＥのロケーションをサポートする方法であって、前記方法は、
ロケーションサーバから第１のロングタームエボリューション（ＬＴＥ）測位プロトコル（ＬＰＰ）メッセージを受信することと、ここにおいて、前記第１のＬＰＰメッセージは、ロケーション要求を備え、かつサービング５Ｇ基地局を介して受信される、
前記第１のＬＰＰメッセージに基づいて少なくとも１つのロケーション測定結果を取得することと、ここにおいて、前記少なくとも１つのロケーション測定結果は、無線アクセス技術（ＲＡＴ）独立型位置決め方法についての測定結果、または発展型ユニバーサル地上無線アクセス（Ｅ−ＵＴＲＡ）位置決め方法についての測定結果を備える、
前記少なくとも１つのロケーション測定結果に基づいてロケーション情報を決定することと、
前記ロケーションサーバに第２のＬＰＰメッセージを送ることと、ここにおいて、前記第２のＬＰＰメッセージは、前記ロケーション情報を備え、かつ前記サービング５Ｇ基地局を介して送られる、
を備える、方法。
【請求項２】
前記ロケーションサーバは、ロケーション管理機能（ＬＭＦ）を備える、請求項１に記載の方法。
【請求項３】
前記ロケーション情報は、前記ＵＥについてのロケーション推定を備える、請求項１に記載の方法。
【請求項４】
前記ロケーション情報は、前記少なくとも１つのロケーション測定結果を備える、請求項１に記載の方法。
【請求項５】
前記第１のＬＰＰメッセージは、ＬＰＰ要求ロケーション情報メッセージを備え、前記第２のＬＰＰメッセージは、ＬＰＰ提供ロケーション情報メッセージを備える、請求項１に記載の方法。
【請求項６】
前記少なくとも１つのロケーション測定結果は、前記ＲＡＴ独立型位置決め方法についての前記測定結果を備え、前記ＲＡＴ独立型位置決め方法は、アシスト型全地球航法衛星システム（Ａ−ＧＮＳＳ）、リアルタイムキネマティック（ＲＴＫ）、精密地点測位（ＰＰＰ）、差動Ａ−ＧＮＳＳ、ワイヤレスローカルエリアネットワーク（ＷＬＡＮ）、Ｂｌｕｅｔｏｏｔｈ、センサ、またはそれらの任意の組み合わせを備える、あるいは、前記少なくとも１つのロケーション測定結果は、前記Ｅ−ＵＴＲＡ位置決め方法についての前記測定結果を備え、前記Ｅ−ＵＴＲＡ位置決め方法は、Ｅ−ＵＴＲＡに関する観測到着時間差（ＯＴＤＯＡ）、またはＥ−ＵＴＲＡに関する拡張型セルＩＤ（ＥＣＩＤ）、またはそれらの任意の組み合わせを備える、請求項１に記載の方法。
【請求項７】
前記ロケーションサーバから第３のＬＰＰメッセージを受信することをさらに備え、前記第３のＬＰＰメッセージは、前記ＲＡＴ独立型位置決め方法または前記Ｅ−ＵＴＲＡ位置決め方法のための補助データを備え、かつ前記サービング５Ｇ基地局を介して受信され、前記少なくとも１つのロケーション測定結果を取得することは、前記補助データに基づく、
請求項１に記載の方法。
【請求項８】
前記第３のＬＰＰメッセージは、ＬＰＰ提供補助データメッセージを備える、請求項７に記載の方法。
【請求項９】
前記サービング５Ｇ基地局に測定ギャップを求める要求を送ることと、
測定ギャップ中に前記少なくとも１つのロケーション測定結果を取得することと、
をさらに備える、請求項８に記載の方法。
【請求項１０】
測定ギャップを求める前記要求は、ＮＲ無線リソース制御（ＲＲＣ）メッセージを備える、請求項９に記載の方法。
【請求項１１】
前記少なくとも１つのロケーション測定結果は、Ｅ−ＵＴＲＡに関する観測到着時間差（ＯＴＤＯＡ）についての基準信号時間差（ＲＳＴＤ）測定結果を備え、
前記サービング５Ｇ基地局にアイドル期間を求める要求を送ることと、
前記アイドル期間中にＯＴＤＯＡ参照セルについてのＬＴＥタイミングおよびシステムフレーム番号（ＳＦＮ）を取得することと、ここにおいて、測定ギャップを求める前記要求は、前記ＬＴＥタイミングおよび前記ＳＦＮに基づく、
をさらに備える、請求項９に記載の方法。
【請求項１２】
前記ＯＴＤＯＡ参照セルは、Ｅ−ＵＴＲＡネットワーク（Ｅ−ＵＴＲＡＮ）中の発展型ノードＢ（ｅＮＢ）のためのセル、または次世代無線アクセスネットワーク（ＮＧ−ＲＡＮ）中の次世代ｅＮＢ（ｎｇ−ｅＮＢ）のためのセルを備え、前記サービング５Ｇ基地局は、前記ＮＧ−ＲＡＮ中にある、請求項１１に記載の方法。
【請求項１３】
前記アイドル期間を求める前記要求は、ＮＲ無線リソース制御（ＲＲＣ）メッセージを備える、請求項１１に記載の方法。
【請求項１４】
前記ロケーションサーバから第４のＬＰＰメッセージを受信することと、ここにおいて、前記第４のＬＰＰメッセージは、前記ＵＥのＬＰＰ測位能力を求める要求を備え、かつ前記サービング５Ｇ基地局を介して受信される、
前記ロケーションサーバに第５のＬＰＰメッセージを送ることと、ここにおいて、前記第５のＬＰＰメッセージは、前記ＵＥがＮＲワイヤレスアクセスを有するとき、前記ＵＥの前記ＬＰＰ測位能力を備え、かつ前記サービング５Ｇ基地局を介して送られる、
をさらに備える、請求項１に記載の方法。
【請求項１５】
前記第４のＬＰＰメッセージは、ＬＰＰ要求能力メッセージを備え、前記第５のＬＰＰメッセージは、ＬＰＰ提供能力メッセージを備える、請求項１４に記載の方法。
【請求項１６】
アクセス管理機能（ＡＭＦ）にインジケーションを送ることをさらに備え、前記インジケーションは、前記ＵＥがＮＲワイヤレスアクセスによってＬＰＰをサポートするとのインジケーションを備え、前記ＡＭＦは、前記ロケーションサーバに前記インジケーションを転送する、
請求項１に記載の方法。
【請求項１７】
前記第１のＬＰＰメッセージは、非アクセス階層（ＮＡＳ）トランスポートメッセージ中で受信され、前記第２のＬＰＰメッセージは、ＮＡＳトランスポートメッセージ中で送られる、請求項１に記載の方法。
【請求項１８】
第５世代（５Ｇ）新無線（ＮＲ）ワイヤレスアクセスを有するユーザ機器（ＵＥ）であって、
ワイヤレス通信インターフェースと、
メモリと、
前記ワイヤレス通信インターフェースおよび前記メモリに通信可能に接続された処理ユニットと、
を備え、前記処理ユニットは、前記ＵＥに、
前記ワイヤレス通信インターフェースを使用して、ロケーションサーバから第１のロングタームエボリューション（ＬＴＥ）測位プロトコル（ＬＰＰ）メッセージを受信することと、ここにおいて、前記第１のＬＰＰメッセージは、ロケーション要求を備え、かつサービング第５世代（５Ｇ）基地局を介して受信される、
前記ワイヤレス通信インターフェースを使用して、前記第１のＬＰＰメッセージに基づいて少なくとも１つのロケーション測定結果を取得することと、ここにおいて、前記少なくとも１つのロケーション測定結果は、無線アクセス技術（ＲＡＴ）独立型位置決め方法についての測定結果、または発展型ユニバーサル地上無線アクセス（Ｅ−ＵＴＲＡ）位置決め方法についての測定結果を備える、
前記少なくとも１つのロケーション測定結果に基づいてロケーション情報を決定することと、
前記ワイヤレス通信インターフェースを使用して、前記ロケーションサーバに第２のＬＰＰメッセージを送ることと、ここにおいて、前記第２のＬＰＰメッセージは、前記ロケーション情報を備え、かつ前記サービング５Ｇ基地局を介して送られる、
を行わせるように構成される、ＵＥ。
【請求項１９】
前記処理ユニットは、前記ＵＥのためのロケーション推定を決定することによって、前記ＵＥに前記ロケーション情報を決定することを行わせるようにさらに構成される、請求項１８に記載のＵＥ。
【請求項２０】
前記処理ユニットは、前記ＵＥに、前記ＲＡＴ独立型位置決め方法についての前記測定結果を備える前記少なくとも１つのロケーション測定結果を取得することを行わせるように構成され、前記ＲＡＴ独立型位置決め方法は、アシスト型全地球航法衛星システム（Ａ−ＧＮＳＳ）、リアルタイムキネマティック（ＲＴＫ）、精密地点測位（ＰＰＰ）、差動Ａ−ＧＮＳＳ、ワイヤレスローカルエリアネットワーク（ＷＬＡＮ）、Ｂｌｕｅｔｏｏｔｈ、センサ、またはそれらの任意の組み合わせを備える、あるいは、前記処理ユニットは、前記ＵＥに、前記Ｅ−ＵＴＲＡ位置決め方法についての前記少なくとも１つのロケーション測定結果を取得することを行わせるように構成され、前記Ｅ−ＵＴＲＡ位置決め方法は、Ｅ−ＵＴＲＡに関する観測到着時間差（ＯＴＤＯＡ）、またはＥ−ＵＴＲＡに関する拡張型セルＩＤ（ＥＣＩＤ）、またはそれらの任意の組み合わせを備える、請求項１８に記載のＵＥ。
【請求項２１】
前記処理ユニットは、前記ＵＥに、
前記ワイヤレス通信インターフェースを使用して、前記ロケーションサーバから第３のＬＰＰメッセージを受信することと、ここにおいて、前記第３のＬＰＰメッセージは、前記ＲＡＴ独立型位置決め方法または前記Ｅ−ＵＴＲＡ位置決め方法のための補助データを備え、かつ前記サービング５Ｇ基地局を介して受信される、
前記補助データに基づいて、前記少なくとも１つのロケーション測定結果を取得することと
を行わせるようにさらに構成される、請求項１８に記載のＵＥ。
【請求項２２】
前記処理ユニットは、前記ＵＥに、ＬＰＰ提供補助データメッセージを備える前記第３のＬＰＰメッセージを受信することを行わせるようにさらに構成される、請求項２１に記載のＵＥ。
【請求項２３】
前記処理ユニットは、前記ＵＥに、
前記ワイヤレス通信インターフェースを使用して、前記サービング５Ｇ基地局に測定ギャップを求める要求を送ることと、
測定ギャップ中に前記少なくとも１つのロケーション測定結果を取得することと、
を行わせるようにさらに構成される、請求項２２に記載のＵＥ。
【請求項２４】
前記処理ユニットは、前記ＵＥに、ＮＲ無線リソース制御（ＲＲＣ）メッセージを使用して測定ギャップを求める前記要求を送ることを行わせるように構成される、請求項２２に記載のＵＥ。
【請求項２５】
前記少なくとも１つのロケーション測定結果は、Ｅ−ＵＴＲＡに関する観測到着時間差（ＯＴＤＯＡ）についての基準信号時間差（ＲＳＴＤ）測定結果を備え、前記処理ユニットは、前記ＵＥに、
前記ワイヤレス通信インターフェースを使用して、前記サービング５Ｇ基地局にアイドル期間を求める要求を送ることと、
前記アイドル期間中にＯＴＤＯＡ参照セルについてのＬＴＥタイミングおよびシステムフレーム番号（ＳＦＮ）を取得することと、
測定ギャップを求める前記要求を前記ＬＴＥタイミングおよび前記ＳＦＮに基づくようにすることと
を行わせるように構成される、請求項２２に記載のＵＥ。
【請求項２６】
前記処理ユニットは、前記ＵＥに、
前記ワイヤレス通信インターフェースを使用して、前記ロケーションサーバから第４のＬＰＰメッセージを受信することと、ここにおいて、前記第４のＬＰＰメッセージは、前記ＵＥのＬＰＰ測位能力を求める要求を備え、かつ前記サービング５Ｇ基地局を介して受信される、
前記ワイヤレス通信インターフェースを使用して、前記ロケーションサーバに第５のＬＰＰメッセージを送ることと、ここにおいて、前記第５のＬＰＰメッセージは、前記ＵＥがＮＲワイヤレスアクセスを有するとき、前記ＵＥの前記ＬＰＰ測位能力を備え、かつ前記サービング５Ｇ基地局を介して送られる、
を行わせるようにさらに構成される、請求項１８に記載のＵＥ。
【請求項２７】
前記処理ユニットは、前記ＵＥに、
前記ワイヤレス通信インターフェースを使用して、アクセス管理機能（ＡＭＦ）にインジケーションを送ることを行わせるようにさらに構成され、前記インジケーションは、前記ＵＥがＮＲワイヤレスアクセスによってＬＰＰをサポートすることを示し、前記ＡＭＦは、前記ロケーションサーバに前記インジケーションを転送する、
請求項１８に記載のＵＥ。
【請求項２８】
デバイスであって、
ロケーションサーバから第１のロングタームエボリューション（ＬＴＥ）測位プロトコル（ＬＰＰ）メッセージを受信するための手段と、ここにおいて、前記第１のＬＰＰメッセージは、ロケーション要求を備え、かつサービング第５世代（５Ｇ）基地局を介して受信される、
前記第１のＬＰＰメッセージに基づいて少なくとも１つのロケーション測定結果を取得するための手段と、ここにおいて、前記少なくとも１つのロケーション測定結果は、無線アクセス技術（ＲＡＴ）独立型位置決め方法についての測定結果、または発展型ユニバーサル地上無線アクセス（Ｅ−ＵＴＲＡ）位置決め方法についての測定結果を備える、
前記少なくとも１つのロケーション測定結果に基づいてロケーション情報を決定するための手段と、
前記ロケーションサーバに第２のＬＰＰメッセージを送るための手段と、ここにおいて、前記第２のＬＰＰメッセージは、前記ロケーション情報を備え、かつ前記サービング５Ｇ基地局を介して送られる、
を備える、デバイス。
【請求項２９】
前記ロケーション情報は、前記デバイスに関するロケーション推定を備える、請求項２８に記載のデバイス。
【請求項３０】
ユーザ機器（ＵＥ）に、第５世代（５Ｇ）新無線（ＮＲ）ワイヤレスアクセスによって前記ＵＥのロケーションをサポートすることを行わせる命令を組み込んだ非一時的コンピュータ可読媒体であって、前記命令は、前記ＵＥの処理ユニットによって実行されたとき、前記ＵＥに、
ロケーションサーバから第１のロングタームエボリューション（ＬＴＥ）測位プロトコル（ＬＰＰ）メッセージを受信することと、ここにおいて、前記第１のＬＰＰメッセージは、ロケーション要求を備え、かつサービング５Ｇ基地局を介して受信される、
前記第１のＬＰＰメッセージに基づいて少なくとも１つのロケーション測定結果を取得することと、ここにおいて、前記少なくとも１つのロケーション測定結果は、無線アクセス技術（ＲＡＴ）独立型位置決め方法についての測定結果、または発展型ユニバーサル地上無線アクセス（Ｅ−ＵＴＲＡ）位置決め方法についての測定結果を備える、
前記少なくとも１つのロケーション測定結果に基づいてロケーション情報を決定することと、
前記ロケーションサーバに第２のＬＰＰメッセージを送ることと、ここにおいて、前記第２のＬＰＰメッセージは、前記ロケーション情報を備え、かつ前記サービング５Ｇ基地局を介して送られる、
を行わせる、非一時的コンピュータ可読媒体。
【発明の詳細な説明】
【背景技術】
【０００１】
[0001]  本明細書で開示される主題は、電子デバイスに関し、より具体的には、第５世代（５Ｇ：Fifth Generation）ワイヤレスネットワークを使用するモバイルデバイスのロケーション（location）をサポートするために使用する方法および装置に関する。
【技術分野】
【０００２】
[0002]  ５Ｇワイヤレスネットワークをサポートする規格は、第３世代パートナーシッププロジェクト（３ＧＰＰ（登録商標））によって開発されている。５Ｇの初代リリース（３ＧＰＰリリース１５）では、５Ｇコアネットワーク（５ＧＣ：5G Core Network）は、音声サービスと緊急通報（emergency calls）とをサポートすることが期待されている。いくつかの地域（例えば、米国、日本）では、緊急通報をサポートすることは、モバイルデバイスの明確なロケーションをサポートすることを必要とし得る。しかしながら、５Ｇワイヤレスアクセス（wireless access）をサポートするために使用される次世代無線アクセスネットワーク（ＮＧ−ＲＡＮ：Next Generation Radio Access network）の初代リリース（リリース１５）には、固有の（native）５Ｇ測位サポートが存在しない可能性がある。５Ｇ上で起動される緊急通報は、ロケーションサポート（location support）がある第４世代（４Ｇ、またはロングタームエボリューション（ＬＴＥ（登録商標）））へのフォールバック（fallback）を介してリダイレクトされ得るが、そのフォールバックは、（例えば、４Ｇワイヤレスカバレッジが利用可能ではないとき）緊急通報の信頼性を低下させ、いくつかの国では法的要求事項（regulatory requirements）に適合しない可能性がある。従って、ロケーションサポートを用いて５Ｇワイヤレスアクセスを使用するが、５Ｇワイヤレスアクセス位置決め方法を使用するロケーションサポートを用いることなく緊急通報がセットアップできる解決法が必要とされる。
【発明の概要】
【０００３】
[0003]  本明細書で説明される技法は、既存のＬＴＥロケーションサポートを利用することにより、５Ｇワイヤレスアクセスのためのロケーションサポートを可能にすることに向けられる。より具体的には、５ＧＣでは、ＬＴＥ測位プロトコル（ＬＰＰ）メッセージ（LTE positioning protocol (LPP) messages）は、ロケーションサポートのために、ＮＧ−ＲＡＮを介して、ユーザ機器（ＵＥ：user equipment）とロケーション管理機能（ＬＭＦ：Location Management Function）との間で通信され得る。ＵＥはまたタイミング情報も受信し、かつ既存のＬＴＥ基地局を使用する方策を講じ得る。
【０００４】
[0004]  ユーザ機器（ＵＥ）において、第５世代（５Ｇ）新無線（ＮＲ：New Radio）ワイヤレスアクセスによってＵＥのロケーションをサポートする例となる方法は、本開示によると、ロケーションサーバ（location server）から第１のロングタームエボリューション（ＬＴＥ）測位プロトコル（ＬＰＰ）メッセージ（Long Term Evolution (LTE) Positioning Protocol (LPP) message）を受信することを備え、第１のＬＰＰメッセージは、ロケーション要求（location request）を備え、かつサービング５Ｇ基地局（serving 5G base station）を介して受信される。方法は、第１のＬＰＰメッセージに基づいて少なくとも１つのロケーション測定結果（location measurement）を取得することをさらに備え、少なくとも１つのロケーション測定結果は、無線アクセス技術（ＲＡＴ）独立型位置決め方法（Radio Access Technology (RAT)-independent position method）についての測定結果、または発展型ユニバーサル地上無線アクセス（Ｅ−ＵＴＲＡ）位置決め方法（Evolved Universal Terrestrial Radio Access (E-UTRA) position method）についての測定結果を備える。方法はまた、少なくとも１つのロケーション測定結果に基づいてロケーション情報（location information）を決定することと、ロケーションサーバに第２のＬＰＰメッセージを送ることとを備え、ここで、第２のＬＰＰメッセージは、ロケーション情報を備え、かつサービング５Ｇ基地局を介して送られる。
【０００５】
[0005]  方法の代替的な実施形態は、以下の特徴のうちの１つまたは複数を含み得る。ロケーションサーバは、ロケーション管理機能（ＬＭＦ）を備え得る。ロケーション情報は、ＵＥのためのロケーション推定（location estimate）を備え得る。ロケーション情報は、少なくとも１つのロケーション測定結果を備え得る。第１のＬＰＰメッセージは、ＬＰＰ要求ロケーション情報メッセージ（LPP Request Location Information message）を備え得、第２のＬＰＰメッセージは、ＬＰＰ提供ロケーション情報メッセージ（LPP Provide Location Information message）を備え得る。少なくとも１つのロケーション測定結果は、ＲＡＴ独立型位置決め方法（RAT-independent position method）についてのロケーション測定結果を備え得、ＲＡＴ独立型位置決め方法は、アシスト型全地球航法衛星システム（Ａ−ＧＮＳＳ：Assisted Global Navigation Satellite System）、リアルタイムキネマティック（ＲＴＫ：Real Time Kinematics）、精密地点測位（ＰＰＰ：Precise Point Positioning）、差動（Differential）Ａ−ＧＮＳＳ、ワイヤレスローカルエリアネットワーク（ＷＬＡＮ：Wireless Local Area Network）、Ｂｌｕｅｔｏｏｔｈ（登録商標）、センサ（Sensor）、またはそれらの任意の組み合わせを備え得る。少なくとも１つのロケーション測定結果は、Ｅ−ＵＴＲＡ位置決め方法（E-UTRA position method）についてのロケーション測定結果を備え、Ｅ−ＵＴＲＡ位置決め方法は、Ｅ−ＵＴＲＡに関する観測到着時間差（ＯＴＤＯＡ：Observed Time Difference Of Arrival）、またはＥ−ＵＴＲＡに関する拡張型セルＩＤ（ＥＣＩＤ：Enhanced Cell ID）、またはそれらの任意の組み合わせを備え得る。方法は、ロケーションサーバから第３のＬＰＰメッセージを受信することをさらに備え、第３のＬＰＰメッセージは、ＲＡＴ独立型位置決め方法またはＥ−ＵＴＲＡ位置決め方法のための補助データ（assistance data）を備え、かつサービング５Ｇ基地局を介して受信され、少なくとも１つのロケーション測定結果を取得することは、補助データに基づく。第３のＬＰＰメッセージは、ＬＰＰ提供補助データメッセージ（LPP Provide Assistance Data message）を備え得る。方法は、サービング５Ｇ基地局に測定ギャップ（measurement gap）を求める要求（request）を送ることと、測定ギャップ中に少なくとも１つのロケーション測定結果を取得することと、をさらに備え得る。測定ギャップを求める要求は、ＮＲ無線リソース制御（ＲＲＣ：Radio Resource Control）メッセージを備え得る。少なくとも１つのロケーション測定結果は、Ｅ−ＵＴＲＡに関するＯＴＤＯＡについての基準信号時間差（ＲＳＴＤ：Reference Signal Time Difference）測定結果を備え得、方法は、サービング５Ｇ基地局にアイドル期間（idle period）を求める要求を送ることと、アイドル期間中にＯＴＤＯＡ参照セル（reference cell）についてのＬＴＥタイミング（LTE timing）およびシステムフレーム番号（ＳＦＮ：System Frame Number）を取得することとをさらに備え、ここで、測定ギャップを求める要求は、ＬＴＥタイミングおよびＳＦＮに基づく。ＯＴＤＯＡ参照セルは、Ｅ−ＵＴＲＡネットワーク（Ｅ−ＵＴＲＡＮ）中の発展型ノードＢ（ｅＮＢ）のためのセル、または次世代無線アクセスネットワーク（ＮＧ−ＲＡＮ）中の次世代ｅＮＢ（ｎｇ−ｅＮＢ）のためのセルを備え得、サービング５Ｇ基地局は、ＮＧ−ＲＡＮ中にある。アイドル期間を求める要求は、ＮＲ無線リソース制御（ＲＲＣ）メッセージ（NR Radio Resource Control (RRC) message）を備え得る。方法は、ロケーションサーバから第４のＬＰＰメッセージを受信することをさらに備え、ここで、第４のＬＰＰメッセージは、ＵＥのＬＰＰ測位能力（LPP positioning capability）を求める要求を備え、かつサービング５Ｇ基地局を介して受信され、方法はまた、ロケーションサーバに第５のＬＰＰメッセージを送ることを備え、ここで、第５のＬＰＰメッセージは、ＮＲワイヤレスアクセスをＵＥが有するとき、ＵＥのＬＰＰ測位能力を備え、かつサービング５Ｇ基地局を介して送られる。第４のＬＰＰメッセージは、ＬＰＰ要求能力メッセージ（LPP Request Capabilities message）を備え得、第５のＬＰＰメッセージは、ＬＰＰ提供能力メッセージ（LPP Provide Capabilities message）を備え得る。方法は、アクセス管理機能（ＡＭＦ：Access Management Function）にインジケーション（indication）を送ることをさらに備え得、インジケーションは、ＮＲワイヤレスアクセスによってＬＰＰをＵＥがサポートするとのインジケーションを備え、ＡＭＦは、ロケーションサーバにインジケーションを転送する。第１のＬＰＰメッセージは、非アクセス階層（ＮＡＳ）トランスポートメッセージ（Non-Access Stratum (NAS) transport message）中で受信され得、第２のＬＰＰメッセージは、ＮＡＳトランスポートメッセージ（NAS transport message）中で送られ得る。
【０００６】
[0006]  本開示によると、第５世代（５Ｇ）新無線（ＮＲ）ワイヤレスアクセスを有する例となるユーザ機器（ＵＥ）は、ワイヤレス通信インターフェース（wireless communication interface）と、メモリ（memory）と、ワイヤレス通信インターフェースおよびメモリに通信可能に接続された処理ユニット（processing unit）と、を備え、処理ユニットは、ＵＥに、ワイヤレス通信インターフェースを使用して、ロケーションサーバから第１のロングタームエボリューション（ＬＴＥ）測位プロトコル（ＬＰＰ）メッセージを受信することを行わせるように構成され、ここで、第１のＬＰＰメッセージは、ロケーション要求を備え、かつサービング第５世代（５Ｇ）基地局（serving Fifth Generation (5G) base station）を介して受信される。処理ユニットは、ＵＥに、ワイヤレス通信インターフェースを使用して、第１のＬＰＰメッセージに基づいて少なくとも１つのロケーション測定結果を取得することを行わせるようにさらに構成され、少なくとも１つのロケーション測定結果は、無線アクセス技術（ＲＡＴ）独立型位置決め方法についての測定結果、または発展型ユニバーサル地上無線アクセス（Ｅ−ＵＴＲＡ）位置決め方法についての測定結果を備える。処理ユニットはまた、ＵＥに、少なくとも１つのロケーション測定結果に基づいてロケーション情報を決定することと、ワイヤレス通信インターフェースを使用して、ロケーションサーバに第２のＬＰＰメッセージを送ることとを行わせるようにさらに構成され、ここで、第２のＬＰＰメッセージは、ロケーション情報を備え、かつサービング５Ｇ基地局を介して送られる。
【０００７】
[0007]  ＵＥ代替的な実施形態は、以下の特徴のうちの１つまたは複数を含み得る。処理ユニットは、ＵＥに、ＵＥのためのロケーション推定を決定することによってロケーション情報を決定することを行わせるようにさらに構成され得る。処理ユニットは、ＵＥに、ＲＡＴ独立型位置決め方法についての測定結果を備える少なくとも１つのロケーション測定結果を取得することを行わせるように構成され得、ここで、ＲＡＴ独立型位置決め方法は、アシスト型全地球航法衛星システム（Ａ−ＧＮＳＳ）、リアルタイムキネマティック（ＲＴＫ）、精密地点測位（ＰＰＰ）、差動Ａ−ＧＮＳＳ、ワイヤレスローカルエリアネットワーク（ＷＬＡＮ）、Ｂｌｕｅｔｏｏｔｈ、センサ、またはそれらの任意の組み合わせを備え得る。処理ユニットは、ＵＥに、Ｅ−ＵＴＲＡ位置決め方法についての測定結果を備える少なくとも１つのロケーション測定結果を取得することを行わせるようにさらに構成され得、ここで、Ｅ−ＵＴＲＡ位置決め方法は、Ｅ−ＵＴＲＡに関する観測到着時間差（ＯＴＤＯＡ）、またはＥ−ＵＴＲＡに関する拡張型セルＩＤ（ＥＣＩＤ）、またはそれらの任意の組み合わせを備え得る。処理ユニットは、ＵＥに、ワイヤレス通信インターフェースを使用して、ロケーションサーバから第３のＬＰＰメッセージをすることと、ここで、第３のＬＰＰメッセージは、ＲＡＴ独立型位置決め方法またはＥ−ＵＴＲＡ位置決め方法のための補助データを備え、かつサービング５Ｇ基地局を介して受信され、補助データに基づいて少なくとも１つのロケーション測定結果を取得することと、を行わせるようにさらに構成され得る。処理ユニットは、ＵＥに、ＬＰＰ提供補助データメッセージを備える第３のＬＰＰメッセージを受信することを行わせるようにさらに構成され得る。処理ユニットは、ＵＥに、ワイヤレス通信インターフェースを使用して、サービング５Ｇ基地局に測定ギャップを求める要求を送ることと、測定ギャップ中に少なくとも１つのロケーション測定結果を取得することと、を行わせるようにさらに構成され得る。処理ユニットは、ＵＥに、ＮＲ無線リソース制御（ＲＲＣ）メッセージを使用して測定ギャップを求める要求を送ることを行わせるように構成され得る。少なくとも１つのロケーション測定結果は、Ｅ−ＵＴＲＡに関するＯＴＤＯＡについての基準信号時間差（ＲＳＴＤ）測定結果（Reference Signal Time Difference (RSTD) measurement）を備え得、処理ユニットは、ＵＥに、ワイヤレス通信インターフェースを使用して、サービング５Ｇ基地局にアイドル期間を求める要求を送ることと、アイドル期間中にＯＴＤＯＡ参照セルについてのＬＴＥタイミングおよびシステムフレーム番号（ＳＦＮ）を取得することと、ＬＴＥタイミングおよびＳＦＮにおける測定ギャップを求める要求に基づくことと、を行わせるように構成され得る。処理ユニットは、ＵＥに、ワイヤレス通信インターフェースを使用して、ロケーションサーバから第４のＬＰＰメッセージを受信することと、ここで、第４のＬＰＰメッセージは、ＵＥのＬＰＰ測位能力を求める要求を備え、かつサービング５Ｇ基地局を介して受信され、ワイヤレス通信インターフェースを使用して、ロケーションサーバに第５のＬＰＰメッセージを送るこ���と、ここで、第５のＬＰＰメッセージは、ＮＲワイヤレスアクセスをＵＥが有するとき、ＵＥのＬＰＰ測位能力を備え、かつサービング５Ｇ基地局を介して送られる、を行わせるようにさらに構成され得る。処理ユニットは、ＵＥに、ワイヤレス通信インターフェースを使用して、アクセス管理機能（ＡＭＦ）にインジケーションを送ることを行わせるようにさらに構成され、インジケーションは、ＮＲワイヤレスアクセスによってＬＰＰをＵＥがサポートすることを示し、ＡＭＦは、ロケーションサーバにインジケーションを転送する。
【０００８】
[0008]  例となるデバイス（device）は、本説明によると、ロケーションサーバから第１のロングタームエボリューション（ＬＴＥ）測位プロトコル（ＬＰＰ）メッセージを受信するための手段を備え、第１のＬＰＰメッセージは、ロケーション要求を備え、かつサービング第５世代（５Ｇ）基地局を介して受信される。例となるデバイスは第１のＬＰＰメッセージに基づいて少なくとも１つのロケーション測定結果を取得するための手段をさらに備え、少なくとも１つのロケーション測定結果は、無線アクセス技術（ＲＡＴ）独立型位置決め方法についての測定結果、または発展型ユニバーサル地上無線アクセス（Ｅ−ＵＴＲＡ）位置決め方法についての測定結果を備える。例となるデバイスはまた、少なくとも１つのロケーション測定結果に基づいてロケーション情報を決定するための手段と、ロケーションサーバに第２のＬＰＰメッセージを送るための手段とを備え、第２のＬＰＰメッセージは、ロケーション情報を備え、かつサービング５Ｇ基地局を介して送られる。代替的な実施形態は、様々な追加的な機能のうちの任意のものを含み得る。例えば、いくつかの実施形態では、ロケーション情報は、デバイスに関するロケーション推定を備え得る。
【０００９】
[0009]  例となる非一時的コンピュータ可読媒体（non-transitory computer-readable medium）は、本説明によると、ユーザ機器（ＵＥ）に、第５世代（５Ｇ）新無線（ＮＲ）ワイヤレスアクセスによってユーザ機器（ＵＥ）のロケーションをサポートすることを行わせる命令（instruction）を組み込む。命令は、ＵＥの処理ユニットによって実行されると、ＵＥに、ロケーションサーバから第１のロングタームエボリューション（ＬＴＥ）測位プロトコル（ＬＰＰ）メッセージを受信することを行わせるようにさらに構成され、第１のＬＰＰメッセージは、ロケーション要求を備え、かつサービング５Ｇ基地局を介して受信される。命令は、ＵＥに、第１のＬＰＰメッセージに基づいて少なくとも１つのロケーション測定結果を取得することを行わせるようにさらに構成され、少なくとも１つのロケーション測定結果は、無線アクセス技術（ＲＡＴ）独立型位置決め方法についての測定結果、または発展型ユニバーサル地上無線アクセス（Ｅ−ＵＴＲＡ）位置決め方法についての測定結果を備える。命令はまた、ＵＥに、少なくとも１つのロケーション測定結果に基づいてロケーション情報を決定することと、ロケーションサーバに第２のＬＰＰメッセージを送ることと、を行わせるようにさらに構成され、第２のＬＰＰメッセージは、ロケーション情報を備え、かつサービング５Ｇ基地局を介して送られる。
【図面の簡単な説明】
【００１０】
[0010]  非限定的かつ非網羅的な態様が、以下の図を参照して説明され、ここで、同様の参照番号は、別段の規定がない限り、様々な図の全体を通して同様の部分を指す。
【図１】[0011]  図１は、一実施形態に従った通信システムの図である。
【図２】[0012]  図２は、一実施形態に従った、本明細書の技法を実装し得る異なるアーキテクチャを有する通信システムを説明する例である。
【図３】図３は、一実施形態に従った、本明細書の技法を実装し得る異なるアーキテクチャを有する通信システムを説明する例である。
【図４】[0013]  図４は、一実施形態に従った、ＬＰＰロケーションセッション中の通信システムのコンポーネント間で送られる様々なメッセージを図示するシグナリングフロー図である。
【図５】[0014]  図５は、一実施形態に従った、通信システムの様々なコンポーネント間で通信されるさらなるメッセージを図示するシグナリングフロー図である。
【図６】[0015]  図６は、測位基準信号（ＰＲＳ：Positioning Reference Signal）測位機会を有する例示的なＬＴＥサブフレームシーケンスの構造を図示する、時間ベースの図である。
【図７】[0016]  図７は、ｅＮＢによってサポートされるＬＴＥセルのためのＰＲＳ送信のさらなる態様を図示する、時間ベースの図である。
【図８】[0017]  図８は、異なる実施形態に従った、５ＧワイヤレスアクセスによってＵＥのロケーションをサポートする方法の態様を図示するフロー図である。
【図９】図９は、異なる実施形態に従った、５ＧワイヤレスアクセスによってＵＥのロケーションをサポートする方法の態様を図示するフロー図である。
【図１０】図１０は、異なる実施形態に従った、５ＧワイヤレスアクセスによってＵＥのロケーションをサポートする方法の態様を図示するフロー図である。
【図１１】[0018]  図１１は、ＵＥの実施形態のブロック図である。
【図１２】[0019]  図１２は、コンピューティングシステムの実施形態のブロック図である。
【００１１】
[0020]  異なる図中で同じ基準ラベルを有する要素、段階、ステップ、およびアクションは、互いに対応し得る（例えば、互いに類似または一致し得る）。さらに、様々な図中のいくつかの要素は、数字のプレフィックス（numeric prefix）を用いてラベリングされ、その後にアルファベットまたは数字のサフィックス（numeric suffix.）が続く。同じ数字のプレフィックスであるが異なるサフィックスを用いた要素は、同じタイプの要素の異なるインスタンスであり得る。任意のサフィックスを有していない数字のプレフィックスは、この数字のプレフィックスを用いた任意の要素を参照するために本明細書で使用され得る。例えば、図１には、発展型ノードＢ（ｅＮＢ）の異なるインスタンス１７０−１、１７０−２、および１７０−３が示されている。ｅＮＢ１７０に対する参照は、ｅＮＢ１７０−１、１７０−２、および１７０−３のうちの任意のものを指し得る。
【詳細な説明】
【００１２】
[0021]  次に、本明細書の一部を形成する添付の図面に関連していくつかの例示的な実施形態を説明する。次に続く説明は、実施形態のみを提供しており、本開示の範囲、適用可能性、または構成を限定することを意図していない。むしろ、次に続く実施形態の説明は、一実施形態を実装するためにそれを可能にする説明を当業者に提供する。本開示の趣旨および範囲から逸脱することなく、複数の要素の機能および配置に様々な変更がなされ得ることが理解される。
【００１３】
[0022]  本明細書で説明される技法は、ＮＧ−ＲＡＮへのワイヤレスアクセスによってＵＥのためのロケーションサポートを提供することに向けられる。いくつかの実施形態によると、（ＮＧ−ＲＡＮへのワイヤレスアクセスを有する）このようなＵＥは、（ｉ）無線アクセス技術（ＲＡＴ）独立型位置決め方法（例えば、アシスト型全地球航法衛星システム（Ａ−ＧＮＳＳ）、ＷｉＦｉ、Ｂｌｕｅｔｏｏｔｈ、センサなど）、および／または（ｉｉ）５Ｇワイヤレスアクセスのための新しいタイプのロケーションサポートに依存しない、発展型ユニバーサル地上無線アクセス（Ｅ−ＵＴＲＡ）（例えば、拡張型セルＩＤ（ＥＣＩＤ：Enhanced Cell ID）、観測到着時間差（ＯＴＤＯＡ：Observed Time Difference Of Arrival）など）のためのＲＡＴ依存型位置決め方法（RAT-dependent position method）を使用して位置付けされ得る。ＵＥのロケーションを管理するために、３ＧＰＰ技術仕様書（ＴＳ：Technical Specification）３６．３５５においてＬＴＥ上のＵＥのロケーションをサポートするために定義されたＬＴＥ測位プロトコル（ＬＰＰ：LTE Positioning Protocol）は、ＵＥによる５Ｇワイヤレスアクセスのために（わずかな変更で、または変更なしで）再利用され得る。これは、５Ｇ非アクセス階層（ＮＡＳ）（５Ｇ ＮＡＳと本明細書で呼ばれる）プロトコルなどのトランスポートプロトコルを使用して、ＵＥと５ＧＣロケーションサーバ（例えば、ロケーション管理機能（ＬＭＦ））との間でＬＰＰメッセージを転送することによって可能となり得る。他のサービス（例えば、ネットワークアクセス、モビリティ管理、セッション管理）についてのメッセージをトランスポートするために使用されるトランスポート（例えば、５Ｇ ＮＡＳ）メッセージは、通常の５Ｇオペレーションの一部として、ＮＧ−ＲＡＮを介して５ＧＣ中のアクセス管理機能（ＡＭＦ）とＵＥとの間で転送され得る。適切なトランスポート（例えば、５Ｇ ＮＡＳ）メッセージまたは複数のメッセージは、次いで、ＮＧ−ＲＡＮに対するわずかな影響とともにまたは余分な影響なしにＡＭＦとＵＥとの間でＬＰＰメッセージを搬送し得る。ＬＰＰメッセージは、新５ＧＣプロトコル（new 5GC protocol）を使用して、ＡＭＦとＬＭＦとの間で転送され得る。新５ＧＣプロトコルは、４Ｇ（ＬＴＥ）ワイヤレスアクセス有するＵＥのロケーションをサポートするためにモビリティ管理機能（ＭＭＥ）と拡張型サービングモバイルロケーションセンター（Ｅ−ＳＭＬＣ：Enhanced Serving Mobile Location Center）との間で使用される、３ＧＰＰ ＴＳ２９．１７１で定義されているロケーションサービス（ＬＣＳ）アプリケーションプロトコル（ＬＣＳ ＡＰ）に類似している。（ＡＭＦとＬＭＦとの間の通信のための）新５ＧＣプロトコルは、本明細書では「５Ｇ ＬＣＳ ＡＰ」と呼ばれる。ＡＭＦはまた、あるＵＥが５Ｇワイヤレスアクセスを有しており、かつ５ＧサービングセルＩＤをＬＭＦに提供し得ることを（例えば、５Ｇ ＬＣＳ ＡＰを使用して）ＬＭＦに通知し得る。
【００１４】
[0023]  上述した方法のようなＬＰＰの使用は、ＵＥによるＬＴＥアクセスのためのＬＰＰによってサポートされた既存の測位方法が、５ＧワイヤレスアクセスによってＵＥを位置付けするために再利用されることを可能にし得る。いくつかの実施形態では、ＲＡＴ独立型位置決め方法に関して、既存のＵＥのサポートが再利用され得る、および／または、以下にＰ１からＰ４で説明されるプロシージャの一部が、ＲＡＴ独立型位置決め測定をＵＥが行うことを可能にするために使用され得る。Ｅ−ＵＴＲＡ ＲＡＴ依存型位置決め方法（例えば、ＥＣＩＤおよび／またはＯＴＤＯＡ）を使用する実施形態では、ＵＥは、ＬＴＥ測定を行うために５Ｇワイヤレスアクセスからチューンアウェイ（tune away）することが可能であり得る。このような実施形態では、以下にＰ１からＰ４で説明されるプロシージャが使用され得る。
Ｐ１    ＵＥは、例えば、５Ｇ無線リソース制御（ＲＲＣ）プロトコルを使用して、サービング５Ｇ基地局（ｇＮＢと本明細書では呼ばれる）から短いアイドル期間（例えば、１０〜５０ミリ秒（ｍｓ））を要求し得る。
Ｐ２    ＵＥは、アイドル期間中に５Ｇワイヤレスアクセスからチューンアウェイし、ＬＭＦによって以前にＵＥに提供されたＬＰＰ補助データ（ＡＤ：assistance data）中のＬＭＦによって示される特定の参照セルについてのＬＴＥタイミング（例えば、ＬＴＥシステムフレーム番号（ＳＦＮ）およびサブフレーム境界）を捕捉し得る。
Ｐ３    ＵＥは、５Ｇタイミングに関して、（例えば、各々が６ｍｓ続く）一連の周期的な測定ギャップを決定するために、Ｐ２からの捕捉したＬＴＥタイミングと、前の５Ｇワイヤレスアクセスからの既知の５Ｇタイミングとを使用し得る。Ｅ−ＵＴＲＡに関するＯＴＤＯＡについて、測定ギャップは、（図６および図７に関連して本明細書でさらに説明されるように）ＬＭＦによってＯＴＤＯＡ ＡＤとしてＵＥに提供される、ＬＴＥ参照セルおよび隣接セルに関する測位基準信号（ＰＲＳ）測位機会（positioning occasion）に対応し得る。ＵＥは、最初の測定ギャップの開始と同時に発生する、５Ｇ無線フレームまたは５Ｇサブフレームの開始などの５Ｇシグナリング境界を決定し得る。ＵＥは次いで、例えば、５Ｇ ＲＲＣプロトコルを使用して、測定ギャップを求める要求をサービングｇＮＢに送り得る。この要求は、（例えば、５Ｇ ＲＲＣ応答メッセージを介して）ｇＮＢによって確認され得るか、またはｇＮＢによって受け入れられたと見なされ得る。
Ｐ４    ＵＥは、各測定ギャップ中に５Ｇワイヤレスアクセスからチューンアウェイし、１つまたは複数のＬＴＥ測定（例えば、ＯＴＤＯＡのための基準信号時間差（ＲＳＴＤ）測定）を取得し得る。
【００１５】
[0024]  （例えば、Ｐ１〜Ｐ４で上述されたような）ＵＥによって取得された測定は、ＬＰＰメッセージ中でＬＭＦに戻され得る（例えば、ＮＡＳトランスポートメッセージ中でＡＭＦに送られ、５Ｇ ＬＣＳ ＡＰを使用してＡＭＦによってＬＭＦに送られる）。
【００１６】
[0025]  これらの技法は、測定ギャップおよびアイドル期間を求める要求が他のタイプの測定（例えば、セル変更およびハンドオーバをサポートするための５Ｇ測定）のためにＮＧ−ＲＡＮによってサポートされている場合、ＵＥに対する限定的な影響およびＮＧ−ＲＡＮに対するわずかな影響を有するかまたは影響がない可能性があり得る。さらなる詳細および実施形態が添付の図面を参照して以下に説明される。
【００１７】
[0026]  図１は、一実施形態に従った、本明細書で説明される技法を実装することが可能な通信システム１００の図である。ここで、通信システム１００は、ユーザ機器（ＵＥ）１０５と、ＮＧ−ＲＡＮ１３５および５ＧＣ１４０を備える５Ｇシステム（５ＧＳ）１８５のコンポーネントを備える。ＮＧ−ＲＡＮ１３５はまた、５Ｇ無線アクセスネットワーク（５Ｇ ＲＡＮ）、またはＮＲのための無線アクセスネットワーク（ＲＡＮ：Radio Access Network）とも呼ばれ得る。通信システム１００は、ＬＴＥワイヤレスアクセスをサポートする発展型パケットシステム（ＥＰＳ：evolved packet system）１４５のコンポーネントをさらに備え、それは、発展型ユニバーサル地上無線アクセス（Ｅ−ＵＴＲＡ）ネットワーク（Ｅ−ＵＴＲＡＮ）１５０および発展型パケットコア（ＥＰＣ：evolved packet system）１５５を含んでいる。通信システム１００は、ＧＮＳＳ衛星ビークル（ＳＶ:satellite vehicles）１９０からの情報をさらに利用し得る。通信システム１００のさらなるコンポーネントが以下に説明される。通信システム１００が追加のまたは代替のコンポーネントを含み得ることを理解されたい。ＥＰＳ１４５は、いくつかの実施形態では、５ＧＳ１８５を管理または所有している同じネットワーク事業者に属するか、または同じネットワーク事業者によって管理され得る（または他の実施形態では、異なるネットワーク事業者によって管理または所有され得る）。
【００１８】
[0027]  図１は様々なコンポーネントを単に一般化した図であり、それらのうちの任意のものまたは全てが適切に利用され得、その各々は必要に応じて複製されることを理解されたい。具体的には、１つのＵＥ１０５のみが図示されているが、多くのＵＥ（例えば、数百、数千、数百万など）が通信システム１００を利用し得ることを理解されたい。同様に、通信システム１００は、多くの数のまたは少ない数のＳＶ１９０、ｅＮＢ１７０、ｇＮＢ１１０、ｎｇ−ｅＮＢ１８０、外部クライアント１３０、および／または他のコンポーネントを含み得る。当業者は、例示されたコンポーネントに対する多くの修正を認識するだろう。通信システム１００中の様々なコンポーネントを接続している図示された接続は、追加の（媒介となる）コンポーネント、直接的または間接的な物理および／またはワイヤレス接続、並びに／あるいは追加のネットワークを含み得る、データおよびシグナリング接続を備える。さらに、これらコンポーネントは、所望の機能に応じて、再配列、組み合わせ、分離、置換、および／または省略され得る。
【００１９】
[0028]  ＵＥ１０５は、本明細書では、デバイス、モバイルデバイス、ワイヤレスデバイス、モバイル端末、端末、モバイル局（ＭＳ：mobile station）、セキュアユーザプレーンロケーション（ＳＵＰＬ：Secure User Plane Location）利用可能端末（ＳＥＴ：SUPL Enabled Terminal）、または何らかの他の名称で呼ばれ得る、および／またはそれらを備え得る。さらに、ＵＥ１０５は、セルフォン、スマートフォン、ラップトップ、タブレット、パーソナルデジタルアシスト（ＰＤＡ）、追跡デバイス、あるいは何らかの他のポータブルまたは移動可能デバイスに対応し得る。必須ではないが、通常、ＵＥ１０５は、ＧＳＭ（登録商標）、符号分割多元接続（ＣＤＭＡ）、ワイドバンドＣＤＭＡ（ＷＣＤＭＡ（登録商標））、ＬＴＥ（例えば、ＥＰＳ  １４５）、高レートパケットデータ（ＨＲＰＤ）、ＩＥＥＥ８０２．１１ ＷｉＦｉ（Ｗｉ−Ｆｉとも呼ばれる）、Ｂｌｕｅｔｏｏｔｈ（ＢＴ）、ＷｉＭＡＸ（Worldwide Interoperability for Microwave Access）、単に「５Ｇ」（例えば、ＮＧ−ＲＡＮ１３５および５ＧＣ１４０を使用する）とも呼ばれる５Ｇ新無線（ＮＲ）などを使用する、１つまたは複数の無線アクセス技術（ＲＡＴ：Radio Access Technology）を使用してワイヤレス通信をサポートし得る。ＵＥ１０５はまた、例えば、デジタル加入者線またはパケットケーブルを使用して他のネットワーク（例えば、インターネット）と接続し得る、ワイヤレスローカルエリアネットワーク（ＷＬＡＮ）を使用してワイヤレス通信をサポートし得る。これらのＲＡＴのうちの１つまたは複数は、（図１に示されていない５ＧＣ１４０の要素を介して、または場合によってはゲートウェイモバイルセンター（ＧＭＬＣ：Gateway Mobile Location Center）を介して）ＵＥ１０５が外部クライアント１３０と通信することを可能にし得る、および／または外部クライアント１３０が（例えば、ＧＭＬＣ１２５を介して）ＵＥ１０５に関するロケーション情報を受信することを可能にする。
【００２０】
[0029]  ＵＥ１０５は、オーディオ、ビデオ、および／またはデータＩ／Ｏデバイスおよび／またはボディセンサおよび別個のワイヤラインまたはワイヤレスモデムをユーザが用い得る、パーソルエリアネットワークなどにおいて、単一のエンティティを備え得るか、または複数のエンティティを備え得る。ＵＥ１０５のロケーションの推定は、ロケーション、ロケーション推定、ロケーションフィックス（location fix）、フィックス、位置、位置推定または位置フィックス（position fix）と呼ばれ得、かつ測地的（geodetic）であり得るため、高度コンポーネント（例えば、海水面からの高さ、地表面、床面高さ、または地下面からの高さあるいはそれより下の深さ）を含むことも含まないこともあり得る、ＵＥ１０５についてのロケーション座標（location coordinates）（例えば、緯度および経度）を提供する。代替的に、ＵＥ１０５のロケーションは、シビックロケーション（civic location）として（例えば、郵便宛先、あるいは、特定の部屋またはフロアなど建物中の何らかの地点または小さいエリアの指定として）表され得る。ＵＥ１０５のロケーションはまた、ＵＥ１０５が何らかの確率または信頼度レベル（例えば、６７％または９５％など）で位置することが予期される（地理的にまたはシビック形式（civic form）のいずれかで定義される）エリアまたはボリュームとして表され得る。ＵＥ１０５のロケーションはさらに、例えば、地理的に、またはシビック用語（civic terms）で、あるいは地図、フロアプランまたは建物プラン上に示された地点、エリアまたはボリュームへの参照によって定義され得る、既知のロケーションにおける何らかの原点に対して定義された、距離および方向または相対的Ｘ、Ｙ（およびＺ）座標を備える相対的ロケーション（relative location）であり得る。本明細書に含まれる説明では、ロケーションという用語の使用は、別段明記されていない限り、これらの変形の任意のものを備え得る。
【００２１】
[0030]  Ｅ−ＵＴＲＡＮ１５０（４Ｇ ＲＡＮ）中の基地局は、本明細書では、発展型ノードＢ（ｅノードＢまたはｅＮＢ）（１７０−１、１７０−２、および１７０−３）（集合的におよび総称してｅＮＢ１７０と本明細書では呼ばれる）を備える。ＮＧ−ＲＡＮ１３５中の基地局は、ＮＲノードＢ（ｇＮＢ）１１０−１および１１０−２（集合的におよび総称してｇＮＢ１１０と本明細書では呼ばれる）と、次世代ｅＮＢ（ｎｇ−ｅＮＢ）１８０−１および１８０−２（集合的におよび総称してｎｇ−ＮＢ１８０と本明細書では呼ばれる）とを備える。ＥＰＳ１４５によってサポートされるＬＴＥネットワークへのアクセスは、ＵＥ１０５とｅＮＢ１７０のうちの１つまたは複数との間のワイヤレス通信を介して、ＵＥ１０５に提供される。ｅＮＢ１７０は、ＬＴＥを使用してＵＥ１０５の代わりにＥＰＣ１５５へのワイヤレス通信アクセスを提供し得る。同様に、５ＧＳ１８５へのアクセスは、ＵＥ１０５とｇＮＢ１１０のうちの１つまたは複数との間のワイヤレス通信を介してＵＥ１０５に提供され、それは、５Ｇ ＮＲを使用して５ＧＳ１８５にワイヤレス通信アクセスを提供し得る。いくつかの実施形態では、５ＧＳ１８５へのアクセスは、ＵＥ１０５とｎｇ−ｅＮＢ１８０のうちの１つまたは複数との間のワイヤレス通信を介してＵＥ１０５に提供され、それは、ＬＴＥを使用して５ＧＳ１８５へのワイヤレス通信アクセスを提供し得る。ｎｇ−ｅＮＢ１８０は、物理層でｅＮＢ１７０によってＵＥ１０５に提供されるＬＴＥワイヤレスアクセスに類似したまたは同じＵＥ１０５に、ＬＴＥワイヤレスアクセスを提供し得る。さらに、いくつかの実施形態では、ＮＧ−ＲＡＮ１３５は、ｇＮＢ１１０を含むが、ｎｇ−ｅＮＢ１８０を含んでいない可能性があるか、またはｎｇ−ｅＮＢ１８０を含むがｇＮＢ１１０を含んでいない可能性がある。加えて、いくつかの実施形態では、ＥＰＳ１４５が存在しない可能性がある。
【００２２】
[0031]  通信システム１００では、ＵＥ１０５のためのロケーションサポートは、前に説明したような５Ｇ ＮＡＳプロトコルおよび５Ｇ ＬＣＳ ＡＰなどのトランスポートプロトコルを使用する、ＬＭＦ１２０とＵＥ１０５との間のＬＰＰトランスポートを利用し得る。ＬＰＰの使用およびＬＰＰのトランスポートは、ＵＥ１０５によるｇＮＢ１１０を介した５ＧＣ１４０へのアクセスと、ＵＥ１０５によるｎｇ−ｅＮＢ１８０を介した５ＧＣ１４０へのアクセスとの両方に類似するかまたは同一であり得る。
【００２３】
[0032]  ＬＴＥワイヤレスアクセスに関して、ＥＰＣ１５５は、ＥＰＣ１５５中の主要シグナリングノードとして機能することができるモビリティ管理エンティティ（ＭＭＥ：Mobility Management Entity）１６５を備え、ＵＥ１０５のモビリティと、ＵＥ１０５へのシグナリングアクセス（signaling access）およびボイスベアラパス（voice bearer path）の提供とをサポートし得る。測位機能に関して、ＭＭＥ１６５は、拡張型サービングモバイルロケーションセンター（Ｅ−ＳＭＬＣ）１６０へのおよびそれからの情報を中継し得る。Ｅ−ＳＭＬＣ１６０は、ＵＥ１０５がＥ−ＵＴＲＡＮ１５０にアクセスするときにＵＥ１０５の測位（ＵＥ１０５のロケーションを指す）をサポートし得、従来技術において良く知られている、アシスト型ＧＮＳＳ（Ａ−ＧＮＳＳ）、ＯＴＤＯＡ、ＥＣＩＤ、リアルタイムキネマティック、および／またはＷＬＡＮ測位（ＷｉＦｉ測位とも呼ばれる）などの位置決め方法をサポートし得る。Ｅ−ＳＭＬＣ１６０はまた、例えば、ＭＭＥ１６５から受信したＵＥ１０５のためのロケーションサービス要求を処理し得る。ＥＰＣ１５５は、例えば、パケットデータネットワーク（ＰＤＮ）ゲートウェイおよび／またはＧＭＬＣなどの、図１に示されていない他の要素を含み得る。
【００２４】
[0033]  ＮＲ（５Ｇ）ワイヤレスアクセスに関して、ｇＮＢ１１０は、アクセス管理機能（ＡＭＦ）１１５と直接的にまたは間接的に通信することができ、それは、位置機能に関して、ＬＭＦ１２０と通信する。同様に、ＮＧ−ＲＡＮ１３５へのＬＴＥワイヤレスアクセスに関して、ｎｇ−ｅＮＢ１８０は、ＡＭＦ１１５と直接的にまたは間接的に通信することができる。さらに、ｇＮＢ１１０および／またはｎｇ−ｅＮＢ１８０は、互いと直接通信し得、いくつかのｇＮＢ１１０および／またはいくつかのｎｇ−ｅＮＢ１８０が、１つまたは複数の他のｇＮＢ１１０および／またはｎｇ−ｅＮＢ１８０を介してＡＭＦ１１５と間接的にのみ通信することを可能にし得る。ＡＭＦ１１５は、セル変更およびハンドオーバを含むＵＥ１０５のモビリティをサポートし得、かつＵＥ１０５へのシグナリング接続をサポートすることに関与し得、場合によっては、ＵＥ１０５のためのデータおよびボイスベアラを確立することを支援する。ＬＭＦ１２０は、ＮＧ−ＲＡＮ１３５にＵＥがアクセスするときにＵＥ１０５の測位をサポートし得、Ｅ−ＳＭＬＣ１６０に類似しているアシスト型ＧＮＳＳ（Ａ−ＧＮＳＳ）、ＯＴＤＯＡ、ＥＣＩＤ、ＲＴＫ、および／またはＷＬＡＮ測位などの位置決め方法をサポートし得る。ＬＭＦ１２０はまた、例えば、ＡＭＦ１１５からまたはＧＭＬＣ１２５から受信される、ＵＥ１０５のためのロケーションサービス要求を処理し得る。いくつかの実施形態では、ＬＭＦ１２０は、（例えば、３ＧＰＰ ＴＳ３６．４５５で定義されるＬＴＥ測位プロトコルＡ（ＬＰＰａ）を使用して）Ｅ−ＵＴＲＡＮ１５０中のｅＮＢ１７０にＬＭＦ１２０が問い合わせることを可能にし得る、Ｅ−ＳＭＬＣ１６０などのＥ−ＳＭＬＣに類似した機能を実装し、かつＮＧ−ＲＡＮ１３５を介してＵＥ１０５がＮＲまたはＬＴＥワイヤレスアクセスを有するときにＵＥ１０５のＯＴＤＯＡ測位をサポートするためにｅＮＢ１７０からの補助データを取得し得る。追加的にまたは代替的に、この機能は、Ｅ−ＳＭＬＣ１６０を介して可能にされ得る。例えば、ＬＭＦ１２０は、同じ物理エンティティ中でＥ−ＳＭＬＣ１６０と組み合わせられ得るか、またはＥ−ＳＭＬＣ１６０への通信アクセスを有し得る。
【００２５】
[0034]  図１に図示されるように、ＬＭＦ１２０とｅＮＢ１７０とは、ＬＰＰａを使用して通信し得、ここで、ＬＰＰａメッセージは、ＭＭＥ１６５およびＥ−ＳＭＬＣ１６０を介してｅＮＢ１７０とＬＭＦ１２０との間で転送される。ここで、Ｅ−ＳＭＬＣ１６０とｅＮＢ１７０との間の（ＭＭＥ１６５を介する）ＬＰＰａトランスポートは、３ＧＰＰ ＴＳ３６．３０５において既存のＬＴＥロケーションのために定義されており、Ｅ−ＳＭＬＣ１６０とＬＭＦ１２０との間のＬＰＰａメッセージのトランスポートは、（例えば、ＬＭＦ１２０とＥ−ＳＭＬＣ１６０とが組み合わせられた場合）内的であり得、またはＬＭＦ１２０とＥ−ＳＭＬＣ１６０とが分離された場合、独自のプロトコル（proprietary protocol）を使用し得る。ＵＥ１０５がＮＧ−ＲＡＮ１３５中のｎｇ−ｅＮＢ１８０へのＬＴＥアクセスを介して５ＧＣ１４０にアクセスする実施形態では、ＬＰＰａに類似したメッセージが（図１中の破線の矢印１９１で示されるように）ＡＭＦ１１５を介してｎｇ−ｅＮＢ１８０とＬＭＦ１２０との間で転送され得る。破線の矢印１９１によって示されるような、転送されたＬＰＰａに類似したメッセージは、ＬＰＰａを使用して転送されたものと同一であるかまたはそれに類似する情報の転送をサポートし得る、３ＧＰＰ ＴＳ３８．４５５で定義されたＮＲ測位プロトコルＡ（ＮＲＰＰａ）のためのメッセージであり得る。
【００２６】
[0035]  図１にさらに示されるように、ＬＰＰメッセージは、図１中の実線の矢印１９２によって示されるように、ＡＭＦ１１５とＮＧ−ＲＡＮ１３５とを介して（例えば、ＮＧ−ＲＡＮ１３５中のｇＮＢ１１０−１またはｎｇ−ｅＮＢ１８０−１のいずれかを介して）ＵＥ１０５とＬＭＦ１２０との間で交換され得、例えば、ＬＰＰメッセージは、５Ｇ ＬＣＳアプリケーションプロトコル（ＡＰ：Application Protocol）を使用してＬＭＦ１２０とＡＭＦ１１５との間で転送され得、５Ｇ ＮＡＳを使用して、ＵＥ１０５のためにサービングｅＮＢ１１０またはサービングｎｇ−ｅＮＢ１８０を介して、ＡＭＦ１１５とＵＥ１０５との間で転送され得る。ＡＭＦ１１５が５Ｇ ＮＡＳメッセージ内のＵＥ１０５へのおよびＵＥ１０５からのＬＰＰ通信を中継することができるため、ＬＰＰ通信は、（任意の他の５Ｇ ＮＡＳメッセージであり得るような５Ｇ ＮＡＳメッセージを通信し得る）ＮＧ−ＲＡＮ１３５にわずかな影響を及ぼすまたは影響を及ぼさない可能性がある。
【００２７】
[0036]  ＬＰＰａおよびＮＲＰＰａプロトコルは、特定のＵＥのロケーションまたは基地局のためのロケーション構成のいずれかに関するロケーションに関連した基地局からの情報を、ロケーションサーバが要求および取得することを可能にし得る。ＬＰＰａを使用してＬＭＦ１２０にｅＮＢ１７０によって（例えば、Ｅ−ＳＭＬＣ１６０およびＭＭＥ１６５を介して）提供された、ロケーションに関連した情報は、タイミング情報、（図６および図７と関連して後に説明されるような）ｅＮＢ１７０によるＰＲＳ送信のための情報、およびｅＮＢ１７０のためのロケーション座標（location coordinates）を含み得る。同様に、ＮＲＰＰａを使用してｎｇ−ｅＮＢ１８０によってＬＭＦ１２０に提供されたロケーションに関連した情報は、タイミング情報、（図６および図７に関連して後に説明されるような）ｎｇ−ｅＮＢ１８０によるＰＲＳ送信のための情報、およびｎｇ−ｅＮＢ１８０のためのロケーション座標を含み得る。例えば、ＬＰＰａ、Ｅ−ＳＭＬＣ１６０、またはＬＭＦ１２０のケースでは、（例えば、ｅＮＢ１７０−１によって取得されたまたはＵＥ１０５によって取得された、およびｅＮＢ１７０−１によって転送された、ＥＣＩＤ測位のためのロケーション測定結果などの）ＵＥ１０５のロケーションに関連した情報、または（例えば、ｅＮＢ１７０−１またはＯＴＤＯＡ測位に関するｅＮＢ１７０−１のためのＰＲＳ構成のロケーションなどの）ｅＮＢ１７０−１のロケーション構成に関連した情報を要求するために、ＭＭＥ１６５を介して（場合によっては、ＬＭＦ１２０から送られるＬＰＰａメッセージのケースではＥ−ＳＭＬＣ１６０を介して）ｅＮＢ１７０−１にＬＰＰａメッセージを送り得る。ｅＮＢ１７０−１は次いで、（例えば、ＵＥ１０５のためのロケーション情報が要求されたとき）任意の要求されたロケーション構成情報またはロケーション測定結果を取得し、ＭＭＥ１６５を介して（および場合によっては、情報がＬＭＦ１２０によって要求されたときにはＥ−ＳＭＬＣ１６０を介して）Ｅ−ＳＭＬＣ１６０またはＬＭＦ１２０に、要求された情報を戻し得る。ＮＲＰＰａの使用は、ｇＮＢ１１０−１またはｎｇ−ｅＮＢ１８０−１のためのロケーションの構成またはＵＥ１０５のロケーションに関連する情報を要求するために、例えば、ＡＭＦ１１５を介してｇＮＢ１１０−１またはｎｇ−ｅＮＢ１８０−１にＮＲＰＰａメッセージを送るＬＭＦ１２０と同様の方法で、並びに、ＡＭＦ１１５を介して別のＮＲＰＰａメッセージ中で要求された情報を元のＬＭＦ１２０に返送するｇＮＢ１１０−１またはｎｇ−ｅＮＢ１８０−１を用いて、行われ得る。
【００２８】
[0037]  ＮＲＰＰａメッセージがｎｇ−ｅＮＢ１８０−１に送られるケースでは、ＬＭＦ１２０は、ＬＰＰａを使用して、ｅＮＢ１７０−１から要求され得るものに類似したまたは同一の情報を要求し得、故に、この情報は、ＵＥ１０５のためのＥＣＩＤロケーション測定結果、ＵＥ１０５のＯＴＤＯＡ測位に適用可能なｎｇ−ｅＮＢ１８０−１のためのＰＲＳ構成情報、またはｎｇ−ｅＮＢ１８０−１のロケーションを備える。ＮＲＰＰａメッセージがｇＮＢ１１０−１に送られるケースでは、ＬＭＦ１２０は、ＵＥ１０５のためのサービングセルアイデンティティ（ＩＤ）、またはＵＥ１０５によって取得され、かつ（例えば、ＲＲＣを使用して）ＵＥ１０５によってｇＮＢ１１０−１に提供された、ロケーション測定結果（例えば、ＬＴＥのための基準信号受信電力（ＲＳＲＰ：Reference Signal Received Power）または基準信号受信品質（ＲＳＲＱ：Reference Signal Received Quality）の測定結果）を要求し得る。ＬＭＦ１２０はまた、ＵＥ１０５のためにｇＮＢ１１０−１によって取得されたＮＲに関連したロケーション推定、またはｇＮＢ１１０−１のためのＮＲ ＰＲＳ構成情報などのｇＮＢ１１０−１のためのロケーション構成情報も（例えば、後の３ＧＰＰリリースにおいて）要求し得る。
【００２９】
[0038]  ＬＭＦ１２０は、ＮＧ−ＲＡＮ１３５および５ＧＣ１４０を介してＵＥ１０５に送られたＬＰＰメッセージ中の補助データとして、ｅＮＢ１７０、ｎｇ−ｅＮＢ１８０、および／またはｇＮＢ１１０からＵＥ１０５への（例えば、ＬＰＰａおよび／またはＮＲＰＰａを使用して）受信されたロケーションに関連した情報のうちのいくつかまたは全てを提供し得る。
【００３０】
[0039]  ＬＭＦ１２０からＵＥ１０５に（例えば、ＮＧ−ＲＡＮ１３５を介して）通信されたＬＰＰメッセージは、所望の機能に応じて、様々なもののうちの任意のものを行うようＵＥ１０５に指示し得る。例えば、ＬＰＰメッセージは、ＧＮＳＳ（またはＡ−ＧＮＳＳ）、ＷＬＡＮ測位、ＲＴＫ、および／またはＯＴＤＯＡに関する測定をＵＥ１０５が取得するための命令を含み得る。ＯＴＤＯＡのケースでは、ＬＰＰメッセージは、特定のｅＮＢ１７０および／またはｎｇ−ｅＮＢ１８０の１つまたは複数の測定（例えば、基準信号時間差（ＲＳＴＤ）の測定）を行うためにＵＥ１０５に通知し得る。よって、ＵＥ１０５がＮＧ−ＲＡＮ１３５中でｇＮＢ１１０またはｎｇ−ｅＮＢ１８０によってサービスされる場合、特定のｅＮＢ１７０の測定のケースでは、ＵＥ１０５は、（ＮＧ−ＲＡＮ１３５および５ＧＣ１４０ではなく）あたかもＥ−ＵＴＲＡＮ１５０およびＥＰＣ１５５によってサービスされるかのように動作する（behave）ことができる。同様に、ＵＥ１０５がＮＧ−ＲＡＮ１３５中のｇＮＢ１１０によってサービスされる場合、特定のｎｇ−ｅＮＢ１８０の測定のケースでは、ＮＧ−ＲＡＮ１３５中のｎｇ−ｅＮＢ１８０によってサービスされるかのように動作することができる。ＵＥ１０５は次いで、ＮＧ−ＲＡＮ１３５を介して、（例えば、５Ｇ ＮＡＳメッセージ内の）ＬＰＰメッセージ中で測定結果をＬＭＦ１２０に返送し得る。
【００３１】
[0040]  図１中のＮＧ−ＲＡＮ１３５の一部としてのｎｇ−ｅＮＢ１８０の識別が単に用語の問題であることに留意されたい。例えば、ｎｇ−ｅＮＢ１８０−１は、ＮＧ−ＲＡＮ１３５の一部ではなく、Ｅ−ＵＴＲＡＮ１５０の一部であるものとして扱われることがあり、ｎｇ−ｅＮＢ１８０−１ではなくｅＮＢ１７０−１を指すことがある。このようなｅＮＢ１７０−１は、ＥＰＣ１５５を介してではなく５ＧＣ１４０を介してＵＥ１０５にＬＴＥワイヤレスアクセスを提供するために、破線１９３で示されるように、ＭＭＥ１６５にではなく、なおもＡＭＦ１１５に接続される。その場合には、ｅＮＢ１７０−１は、ｎｇ−ｅＮＢ１８０−１と完全に同じ機能を果たすことが可能であり得る。このような場合には、ｅＮＢ１７０−１は、ＬＰＰａを使用してＥ−ＳＭＬＣ１２０を用いてではなく、ＮＲＰＰａ（またはＬＰＰａ）を使用してＬＭＦ１２０と通信することができ、ここで、ＮＲＰＰａ（またはＬＰＰａ）メッセージは、ＵＥ１０５がｎｇ−ｅＮＢ１８０−１によってサービスされるときに関して、図２に関連して後述するように、ＡＭＦ１１５を介して、場合によってはｇＮＢ１１０（例えば、ｇＮＢ１１０−１）を介して、ｅＮＢ１７０−１とＬＭＦ１２０との間で転送され得る。同様に、ＵＥ１０５がｅＮＢ１７０−１によってサービスさているとき、ＥＰＣ１５５ではなく５ＧＣ１４０にＬＴＥアクセスを提供するｅＮＢ１７０−１を用いて、ＬＰＰメッセージは、ＵＥ１０５がｎｇ−ｅＮＢ１８０−１によってサービスされているとき、ＬＰＰメッセージ転送のために図２と関連して後述するものと同様に、ＡＭＦ１１５、ｅＮＢ１７０−１、および場合によってはｇＮＢ１１０（例えば、ｇＮＢ１１０−１）を介して、ＵＥ１０５とＬＭＦ１２０との間で転送され得る。
【００３２】
[0041]  前に示されたように、本明細書で提供される技法の実施形態は、異なるアーキテクチャを有するシステム中で利用されることができる。図２および図３は、いくつかの実施形態に従った、本明細書の技法を実装し得る異なるアーキテクチャを示す、通信システム２００および３００をそれぞれ説明する例である。図２および図３で図示される異なるアーキテクチャは、通信システム１００のために、５ＧＣ１４０にＮＧ−ＲＡＮ１３５中で基地局を接続する異なる方法と、ＮＧ−ＲＡＮ１３５についての異なる基地局配置とを提供する。よって、通信システム２００および３００は、通信システム１００の異なるバリエーションを表し得る。通信システム２００および３００のコンポーネントは、図１に図示されかつ上述された、通信システム１００中に図示されたものに対応する。これらのコンポーネントは、ＵＥ１０５、ｎｇ−ｅＮＢ１８０−１、ｇＮＢ１１０−１、ＮＧ−ＲＡＮ１３５、５ＧＣ１４０、ＡＭＦ１１５、およびＬＭＦ１２０を含む。以下でより詳細に説明されるように、オプションのコンポーネント、インターフェース、およびプロトコルが破線で図示されている。ここで、ＮＲインターフェース（ＮＲ−Ｕｕ）、ＬＴＥあるいは拡張型または発展型ＬＴＥインターフェース（ｅＬＴＥ−Ｕｕ）、ＡＭＦからＮＧ−ＲＡＮのインターフェース（Ｎ２）、ＡＭＦからＬＭＦのインターフェース（ＮＬｓ）、およびｇＮＢからｎｇ−ｅＮＢのインターフェース（Ｘｎ）（ｇＮＢからｇＮＢの、およびｎｇ−ｅＮＢからｎｇ−ｅＮＢのインターフェースとも呼ばれ得る）が、コンポーネント間に破線または実線で示されている。一対のコンポーネント間で使用されるプロトコルＬＰＰおよびＮＲＰＰａが両矢印付きの破線および実線でさらに図示されており、各矢印は、一対のコンポーネントを接続している。媒介コンポーネント（intermediate component）を通る矢印は、矢印で図示されるプロトコルに関するメッセージを、どこでその媒介コンポーネントが中継可能であるかを図示している。例えば、図示されるように、図２および図３中のＬＭＦ１２０と他のコンポーネント間の全ての通信は、媒介コンポーネントとしての役割を果たすＡＭＦ１１５を介して中継される。図２〜図３中に図示されるアーキテクチャが、図示されていない追加のおよび／代替のコンポーネント（図１のＧＭＬＣ１２５および外部クライアント１３０など）を含み得ることを、当業者であれば理解するだろう。加えて、ＮＧ−ＲＡＮ１３５と５ＧＣ１４０とが図示されているが、本明細書で説明されている実施形態は、他のＲＡＮおよび／またはコアコンポーネントを用いて実装され得ることにさらに留意されたい。
【００３３】
[0042]  図２中の通信システム２００では、ＮＧ−ＲＡＮ１３５中のｇＮＢ１１０−１から５ＧＣ１４０中のＡＭＦ１１５への接続によって例示されるように、ｇＮＢ１１０がＮＧ−ＲＡＮ１３５中に存在し、かつ５ＧＣ１４０中のＡＭＦに直接接続されている。ｎｇ−ｅＮＢ１８０（例えば、オプションでｎｇ−ｅＮＢ１８０−１）がＮＧ−ＲＡＮ１３５中に存在しないとき、通信システム２００は、スタンドアロン５Ｇ（またはＮＲ）アーキテクチャと呼ばれ得、３ＧＰＰでは「オプション２」とも呼ばれる。この配置またはオプションを用いて、ＬＰＰメッセージ２１０は、ｇＮＢ１１０−１およびＡＭＦ１１５を介してＵＥ１０５とＬＭＦ１２０との間で交換され得、ＮＲＰＰａメッセージ２２０は、ＡＭＦ１１５を介してｇＮＢ１１０−１とＬＭＦ１２０との間で交換され得る。ｎｇ−ｅＮＢ１８０（例えば、オプションでｎｇ−ｅＮＢ１８０−１）がＮＧ−ＲＡＮ１３５中に存在するとき、通信システム２００は、非スタンドアロンＥ−ＵＴＲＡアーキテクチャを用いたスタンドアロン５Ｇ（またはＮＲ）と呼ばれ得、３ＧＰＰでは「オプション４」とも呼ばれる。この配置またはオプションを用いて、ＵＥ１０５がｎｇ−ｅＮＢ１８０−１によってサービスされるとき、ＬＰＰメッセージ２３０は、ｇＮＢ１１０−１、ｎｇ−ｅＮＢ１８０−１、およびＡＭＦ１１５を介してＵＥ１０５とＬＭＦ１２０との間で交換され得、ＮＲＰＰａメッセージ２４０は、ｇＮＢ１１０−１およびＡＭＦ１１５を介してｎｇ−ｅＮＢ１８０−１とＬＭＦ１２０との間で交換され得る。この配置（オプション４）を用いて、ＬＰＰおよびＮＲＰＰａメッセージは、ＡＭＦ１１５とｎｇ−ｅＮＢ１８０−１との間で直接転送されない可能性があるが、代わりに、ｇＮＢ１１０−１とｎｇ−ｅＮＢ１８０−１との間でメッセージを転送するために、Ｘｎインターフェースを使用してｇＮＢ１１０−１を介して転送され得る。
【００３４】
[0043]  図３は、図２と同様に、所望の機能に応じて実装され得る、異なる実施形態を図示する。しかしながら、ｇＮＢ１１０−１およびｎｇ−ｅＮＢ１８０−１の役割は逆となる。よって、通信システム３００では、ＮＧ−ＲＡＮ１３５中のｎｇ−ｅＮＢ１８０−１から５ＧＣ１４０中のＡＭＦ１１５への接続によって例示されるように、ｎｇ−ｅＮＢ１８０は、ＮＧ−ＲＡＮ１３５中に存在し、かつ５ＧＣ１４０中のＡＭＦに直接接続している。ｇＮＢ１１０（例えば、オプションでｇＮＢ１１０−１）がＮＧ−ＲＡＮ１３５中に存在しないとき、通信システム３００は、スタンドアロンＥ−ＵＴＲＡ ５ＧＳアーキテクチャと呼ばれ得、３ＧＰＰでは「オプション５」とも呼ばれる。この配置またはオプションを用いて、ＬＰＰメッセージ３１０は、ｎｇ−ｅＮＢ１８０−１およびＡＭＦ１１５を介してＵＥ１０５とＬＭＦ１２０との間で交換され得、ＮＲＰＰａメッセージ３２０は、ＡＭＦ１１５を介してｎｇ−ｅＮＢ１８０−１とＬＭＦ１２０との間で交換され得る。ｇＮＢ１１０（例えば、オプションでｇＮＢ１１０−１）がＮＧ−ＲＡＮ１３５中に存在するとき、通信システム３００は、非スタンドアロンＮＲアーキテクチャを用いたスタンドアロンＥ−ＵＴＲＡと呼ばれ得、３ＧＰＰでは「オプション７」とも呼ばれる。この配置またはオプションを用いて、ＵＥ１０５がｇＮＢ１１０−１によってサービスされるとき、ＬＰＰメッセージ３３０は、ｇＮＢ１１０−１、ｎｇ−ｅＮＢ１８０−１、およびＡＭＦ１１５を介してＵＥ１０５とＬＭＦ１２０との間で交換され得、ＮＲＰＰａメッセージ３４０は、ｎｇ−ｅＮＢ１８０−１およびＡＭＦ１１５を介してｇＮＢ１１０−１とＬＭＦ１２０との間で交換され得る。この配置（オプション７）を用いて、ＬＰＰおよびＮＲＰＰａメッセージは、ＡＭＦ１１５とｇＮＢ１１０−１との間で直接転送されない可能性があるが、代わりに、ｇＮＢ１１０−１とｎｇ−ｅＮＢ１８０−１との間でメッセージを転送するためにＸｎインターフェースを使用して、ｎｇ−ｅＮＢ１８０−１を介して転送され得る。
【００３５】
[0044]  図１〜図３を参照して前に説明および図示されるようなＮＧ−ＲＡＮ１３５へのアクセスを有するＵＥ１０５の測位のための既存のＬＰＰプロトコルの使用は、ＮＧ−ＲＡＮ１３５（または、利用できる場合、別のＲＡＮ）のための新規のまたは修正されたプロトコルによって、適用または置き換えられ得ることに留意されたい。いくつかの実施形態では、適合（adaptations）は、１つまたは複数のｇＮＢ１１０によって送信されるＮＲ信号の測定をＵＥ１０５が取得する位置決め方法をサポートすることを必要とし得る、ＬＰＰの拡張またはＬＰＰの置き換えを含み得る。このようなＮＲに関連する測定は、ＲＳＲＰ、ＲＳＲＱ、ＲＳＴＤ、ラウンドトリップ信号伝搬時間（ＲＴＴ：round trip signal propagation time）、および／または到着角（ＡＯＡ：angle of arrival）の測定を含み得る。選択肢（Alternative）Ａ１と称する一実施形態では、ＬＴＥアクセスのためにＯＴＤＯＡまたはＥＣＩＤに類似したＮＲ ＲＡＴ依存型位置決め方法などの、新たなＮＲ ＲＡＴ依存型（および、利用可能な他のＲＡＴ独立型）位置決め方法をサポートするために、ＬＰＰが拡張され得る。選択肢Ａ２と称する別の実施形態では、新プロトコル（new protocol）（例えば、ＮＲ測位プロトコル（ＮＰＰまたはＮＲＰＰ））全体が、ＬＰＰの代わりに使用されるように定義され得、ここで、この新プロトコルは、ＮＲ ＲＡＴ依存型および他のＲＡＴ独立型位置決め方法のためのサポートを提供し、選択肢Ａ３と称するさらなる実施形態では、新プロトコル（例えば、ＮＰＰまたはＮＲＰＰ）は、ＮＲ ＲＡＴ依存型位置決め方法をサポートすることのみに限定され、かつＮＲ ＲＡＴ依存型およびＲＡＴ単独測位（および／またはＬＴＥ ＲＡＴ依存型測位）の両方が必要とされるときに、ＬＰＰとの組み合わせで使用されることを定義し得る。選択肢Ａ３は、３つの変形うちの１つを使用し得る。Ａ３の第１の変形では、新プロトコルに関するメッセージは、３ＧＰＰ ＴＳ３６．３５５におけるＥＰＤＵの定義に従って、新外部プロトコルデータユニット（ＥＰＤＵ：External Protocol Data Unit）として,ＬＰＰメッセージ内に組み込まれ得る。Ａ３の第２の変形では、ＬＰＰメッセージは、例えば、３ＧＰＰ ＴＳ ３６．３５５におけるＥＰＤＵの定義に類似したＥＰＤＵを使用して、新プロトコルのためにメッセージ内に組み込まれ得る。Ａ３の第３の変形では、新プロトコルは、ＬＰＰから分離され得る（例えば、ＬＰＰ内に組み込まれていないか、またはＬＰＰを組み込むことができない）が、ＬＭＦ１２０を用いて、ＵＥ１０５は、同じＮＡＳトランスポートコンテナを使用して、新プロトコルおよびＬＰＰの両方に関する１つのメッセージまたは複数のメッセージを交換することが可能である。選択肢Ａ４と称する別の実施形態では、新プロトコルは、ＲＡＴ独立型位置決め方法および／またはＥ−ＵＴＲＡ ＲＡＴ依存型位置決め方法をサポートするために（例えば、ＬＰＰからの抽象構文記法．１（ＡＳＮ．１：Abstract Syntax Notation One）データタイプをインポートすることにより）、ＬＰＰの部分を組み込むと定義され得る。
【００３６】
[0045]  上記の様々な選択肢Ａ１からＡ４が、ＮＧ−ＲＡＮ１３５中でｇＮＢ１１０へのＮＲワイヤレスアクセスを用いてＵＥ１０５を測位するために最も適切であり得るが、それらはまた、その信号がＵＥ１０５によって測定可能である、ＵＥ１０５に近接するｇＮＢ１１０のためのＮＲ ＲＡＴ依存型位置決め方法を使用する可能性があるため、ＮＧ−ＲＡＮ１３５中でｎｇ−ｅＮＢ１８０へのＬＴＥアクセスを用いてＵＥ１０５を測位するためにも適用可能であり得る。
【００３７】
[0046]  図４は、一実施形態に従った、ＵＥ１０５とＬＭＦ１２０との間の、ＬＰＰを使用するロケーションセション（location session）（セッション、ＬＰＰセッション、またはＬＰＰロケーションセッションとも呼ばれる）における通信システム１００の複数のコンポーネント間で送られる様々なメッセージを図示するシグナリングフロー図である。図４中のシグナリングフローは、ｇＮＢ１１０−１と図４中の例では仮定される、ＮＧ−ＲＡＮ１３５中のｇＮＢ１１０へのＮＲ（５Ｇ）ワイヤレスアクセスをＵＥ１０５が有するときに適用できる。ＬＰＰセッションは、ＵＥ１０５のためのロケーション要求をＬＭＦ１２０が受信したとき、アクション４０１によってトリガされ得る。５ＧＣ１４０におけるロケーションサポートのシナリオおよびタイプに従って、ロケーション要求がＡＭＦ１１５から、またはＧＭＬＣ１２５から、ＬＭＦ１２０へと到達し得る。ＬＭＦ１２０は、ＵＥ１０５についての情報に関してＡＭＦ１１５に問い合わせるか、あるいは、（例えば、ＡＭＦ１１５がアクション４０１においてＬＭＦ１２０にロケーション要求を送った場合）ＡＭＦ１１５はＵＥ１０５についての情報をＬＭＦ１２０に送り得る（図４中には図示せず）。その情報は、ＮＧ−ＲＡＮ１３５へのワイヤレスアクセスをＵＥ１０５が有することを示し得、ＮＲワイヤレスアクセスをＵＥ１０５が有するとき（またはＵＥ１０５がＮＧ−ＲＡＮ１３５へのアクセスを有するとき）ＵＥ１０５のための現在のＮＲサービングセル（例えば、ＵＥ１０５のためのサービングｇＮＢであり得るｇＮＢ１１０−１によってサポートされるセル）を提供し得、および／またはＬＰＰを使用してＵＥ１０５がロケーションをサポートすることを示し得る。この情報のいくつかまたは全ては、例えば、ＵＥ１０５が（例えば、ＮＡＳを使用して）ＡＭＦ１１５とレジストレーション（registration）を行うときに、ＵＥ１０５からおよび／またはｇＮＢ１１０−１からＡＭＦ１１５によって取得されている可能性がある。
【００３８】
[0047]  ＬＰＰセッションを開始するために（例えば、ＵＥ１０５のインジケーションがＮＲワイヤレスアクセスによってＬＰＰをサポートすることに基づいて）、ＬＭＦ１２０は、アクション４０２において、ＬＰＰ要求能力メッセージを（例えば、５Ｇ ＬＣＳ ＡＰを使用して）ＵＥ１０５にサービスするＡＭＦ１１５に送ることができる。ＡＭＦ１１５は、５Ｇ ＮＡＳトランスポートメッセージ内にＬＰＰ要求能力メッセージを含めることができ、それは、（例えば、図１〜図３に図示されるようにＮＧ−ＲＡＮ１３５中のＮＡＳ通信パスを介して）アクション４０３においてＵＥ１０５に送られる。ＵＥ１０５は次いで、アクション４０４において、５Ｇ ＮＡＳトランスポートメッセージ内でもまたＬＰＰ提供能力メッセージをＡＭＦ１１５に送ることによって、ＡＭＦ１１５に応答し得る。ＡＭＦ１１５は、（例えば、５Ｇ ＬＣＳ ＡＰを使用して）、ＬＰＰ提供能力メッセージを５Ｇ ＮＡＳトランスポートメッセージから抽出し得、アクション４０５において、ＬＰＰ提供能力メッセージをＬＭＦ１２０に中継し得る。
【００３９】
[0048]  ここで、アクション４０４および４０５において送られるＬＰＰ提供能力メッセージは、ＮＲを使用して５Ｇネットワークにアクセスしている間のＵＥ１０５の測位能力（例えば、Ａ−ＧＮＳＳ測位、ＲＴＫ測位、ＯＴＤＯＡ測位、ＥＣＩＤ測位、ＷＬＡＮ測位などのような、ＵＥ１０５によってサポートされる位置決め方法）を示し得る。これは、ＵＥ１０５の測位能力のうちのいくつかが、ＬＴＥを使用してＥ−ＵＴＲＡＮ１５０を介してＵＥ１０５がＥＰＣ１５５にアクセスしているときとは異なり得ることを意味する。例えば、いくつかのシナリオでは、ＵＥ１０５は、ＬＴＥネットワークにアクセスしている間、ＬＴＥに関するＯＴＤＯＡ測位（Ｅ−ＵＴＲＡに関するＯＴＤＯＡとも呼ばれる）をサポートする能力を有し得るが、ＵＥ１０５は、ＮＲを使用して５Ｇネットワークにアクセスしている間、ＬＴＥに関するＯＴＤＯＡ測位をサポートする能力を有していない可能性がある。このケースでは、ＵＥ１０５は、アクション４０４および４０５で送られるＬＰＰ提供能力メッセージ中で、ＬＴＥに関するＯＴＤＯＡ測位能力を有していることを示さない可能性がある。いくつかの他のシナリオでは、ＵＥ１０５は、（例えば、本明細書で説明される技法に基づいて）ＮＲを使用して５ＧネットワークにアクセスするときにＯＴＤＯＡおよび／またはＥＣＩＤなどのＬＴＥ位置決め方法をサポートすることができ、このケースでは、アクション４０４および４０５で送られるＬＰＰ提供能力メッセージは、このＵＥのサポートを示し得る。アクション４０４および４０５で送られるＵＥ１０５の測位能力は、５Ｇネットワークにアクセスしている間、そのＵＥ１０５がどの能力を有しているかをＬＭＦ１２０が決定することを可能にする。
【００４０】
[0049]  ＵＥ１０５の測位能力を用いて、ＬＭＦ１２０は、サポートされるＵＥ１０５によって示された位置決め方法のうちの１つまたは複数をサポートするために、ＵＥ１０５のための補助データを決定することができる。例えば、ＵＥ１０５がアクション４０４および４０５においてＬＴＥに関するＯＴＤＯＡに関するサポートを示す場合、ＬＭＦ１２０は、アクション４０６において、（アクション４０７でＡＭＦ１１５を介してｎｇ−ｅＮＢ１８０−１に中継される）ＮＲＰＰａ ＯＴＤＯＡ情報要求メッセージをｎｇ−ｅＮＢ１８０−１に送り得る。ｎｇ−ｅＮＢ１８０−１は、アクション４０８において、（アクション４０９でＡＭＦ１１５を介してＬＭＦ１２０に中継される）ＮＲＰＰａ ＯＴＤＯＡ情報応答を用いて応答し得る。ＬＭＦ１２０は同様に、アクション４１０において、（アクション４１１においてＭＭＥ１６５を介してｅＮＢ１７０−１に中継される）ＬＰＰａ ＯＴＤＯＡ情報要求メッセージをｅＮＢ１７０−１に送り得る。ｅＮＢ１７０−１は、アクション４１２において、（アクション４１３でＡＭＦ１１５を介してＬＭＦ１２０に中継される）ＬＰＰａ ＯＴＤＯＡ情報応答を用いて応答し得る。ＬＭＦ１２０と他のｅＮＢ１７０および／または他のｎｇ−ｅＮＢ１８０との間の同様の通信が、ＯＴＤＯＡ補助データを収集するために発生し得、いくつかのシナリオでは、ＬＭＦ１２０がｅＮＢ１７０からのみの情報を（ＬＰＰａを使用して）要求し得るか、またはｎｇ−ｅＮＢ１８０からのみの情報を（ＮＲＰＰａを使用して）要求し得ることに留意されたい。さらに、図４に示され、図１に関して説明されるように、ｅＮＢ１７０とＬＭＦ１２０との間の通信は、Ｅ−ＳＭＬＣ１６０を介して中継され得る。（例えば、アクション４０８〜４０９および４１２〜４１３での）ＬＰＰａまたはＮＲＰＰａ ＯＴＤＯＡ情報応答において、各ｅＮＢ１７０および各ｎｇ−ｅＮＢ１８０によってＬＭＦ１２０に提供される情報は、図６および図７に関して後述されるような、ｅＮＢ１７０またはｎｇ−ｅＮＢ１８０のロケーション座標、ｅＮＢ１７０またはｎｇ−ｅＮＢ１８０のためのＰＲＳタイミング情報およびＰＲＳ構成情報（例えば、ＰＲＳ構成パラメータ）を含み得る。
【００４１】
[0050]  ＬＭＦ１２０は次いで、アクション４１４においてＡＭＦ１１５に送られたＬＰＰ提供補助データメッセージを介して、およびアクション４１５においてＡＭＦ１１５によって５Ｇ ＮＡＳトランスポートメッセージ中でＵＥ１０５に中継された、アクション４０９および４１３において受信された補助データのうちのいくつかまたは全てをＵＥ１０５に送り得る（例えば、ｅＮＢ１７０−１および／またはｎｇ−ｅＮＢ１８０−１のためのＰＲＳ構成情報を送り得る）。アクション４１６においてＬＭＦ１２０からＡＭＦ１１５に再度送られるＬＬＰ要求ロケーション情報メッセージがこの次に続き、それは、アクション４１７においてＡＭＦ１１５によっておよびｇＮＢ１１０−１を介して、５Ｇ ＮＡＳトランスポートメッセージ中でＵＥ１０５に中継される。ＬＰＰ要求ロケーション情報メッセージは、ＵＥ１０５からの１つまたは複数のロケーション測定結果を、および／またはアクション４０４および４０５においてＬＭＦ１２０に送られるＵＥ１０５の位置決め能力に従ったロケーション推定を要求し得る。ロケーション測定は、例えば、ＬＴＥに関するＯＴＤＯＡのための基準信号時間差（ＲＳＴＤ）測定、Ａ−ＧＮＳＳのための擬似距離（pseudorange）またはコード位相測定、ＲＴＫのためのキャリア位相測定、ＷＬＡＮ測位のためのＷｉＦｉ測定、および／またはＬＴＥに関するＡＯＡ、ＲＳＲＰ、および／またはＲＳＲＱのための測定（Ｅ−ＵＴＲＡのためのＥＣＩＤとも呼ばれ得る）を含み得る。
【００４２】
[0051]  これに応答して、ブロック４１８において、ＵＥ１０５は、アクション４１６および４１７で要求されたロケーション測定結果のうちのいくつかまたは全てを取得し得る。いくつかの実施形態では、並びに、アクション４１６および４１７において要求された場合、ＵＥ１０５はまた、ブロック４１８においてロケーション測定結果に基づいて、および場合によっては、アクション４１５において受信した補助データのうちのいくつかまたは全てにもまた基づいて、ロケーション推定を取得し得る。ロケーション測定結果またはロケーション推定は、ＬＰＰ提供ロケーションメッセージ中で提供され、それは、アクション４１９における５Ｇ ＮＡＳトランスポートメッセージ中で、ｇＮＢ１１０−１を介して、ＵＥ１０５によってＡＭＦ１１５に送られ得る。ＡＭＦ１１５は、５Ｇ ＮＡＳトランスポートメッセージからＬＰＰ提供ロケーションメッセージを抽出し、アクション４２０において、それをＬＭＦ１２０に（例えば、５Ｇ ＬＣＳ ＡＰを使用して）中継し得る。この情報を用いて、ＬＭＦ１２０は、ブロック４２１においてＵＥロケーションを決定または検証し、アクション４２２において、要求エンティティ（requesting entity）にその決定または検証したロケーションを接続するロケーション応答を提供し得る。
【００４３】
[0052]  図４において、ＬＭＦ１２０は、アクション４１６および４１７において、ＬＴＥに関するＯＴＤＯＡ ＲＳＴＤ測定を取得することをＵＥ１０５に要求し、ブロック４１８において取得されるＯＴＤＯＡ ＲＳＴＤ測定は、ｎｇ−ｅＮＢ１８０（例えば、ｎｇ−ｅＮＢ１８０−１）からおよび／またはｅＮＢ１７０（例えば、ｅＮＢ１７０−１）から取得され得る。これは、ｎｇ−ｅＮＢ１８０によるおよび／またはｅＮＢ１７０によるＬＴＥワイヤレスアクセスのために使用されるキャリア周波数がＮＲワイヤレスアクセスのための５Ｇネットワークのキャリア周波数とは異なる場合、または単にｎｇ−ｅＮＢ１８０および／またはｅＮＢ１７０ワイヤレス信号（例えば、ＰＲＳ信号）を測定することがＵＥ１０５による通常のＮＲワイヤレスアクセスを妨げるまたは妨害するときに、問題を引き起こし得る。加えて、ＮＧ−ＲＡＮ１３５中のｎｇ−ｅＮＢ１８０のＬＴＥタイミングおよび／またはＥ−ＵＴＲＡＮ１５０中のｅＮＢｓ１７０のＬＴＥタイミングがＮＧ−ＲＡＮ１３５中のｇＮＢ１１０によって使用されるタイミングとは異なる可能性があり、ＵＥ１０５に関して困難なまたは不可能なＯＴＤＯＡ（例えば、図６および図７に関して説明されるような）についてのＰＲＳ信号のＲＳＴＤ測定を行う。
【００４４】
[0053]  これらの問題を解決するために、ＵＥ１０５は、ＵＥ１０５のエリアでＬＴＥカバレッジを提供する適切な基準ＬＴＥセル（例えば、ｎｇ−ｅＮＢ１８０−１によってまたはｅＮＢ１７０−１によってサポートされる）をＵＥ１０５が探索および発見することを可能にするために、ある時間の期間の間（例えば、１０〜５０ｍｓの間）、ＮＲアクセスからｇＮＢ１１０−１にチューンアウェイするように構成され得る。特定の基準ＬＴＥに関する情報は、アクション４１４および４１５においてＬＭＦ１２０によってＵＥ１０５に提供され得る。例えば、アクション４１４の前に、ＬＭＦ１２０は、例えば、類似するまたは同じカバレッジエリアを有するＬＴＥ参照セルを選択することによって、ＵＥのためのＮＲサービングセルに基づいて基準ＬＴＥセルを決定し得る。ＵＥ１０５は、ＬＴＥタイミング（例えば、ＬＴＥシステムフレーム番号（ＳＦＮ））を取得し、基準ＬＴＥセルからシステム情報を取得し得る。ＵＥ１０５がある時間期間チューンアウェイすることを可能にするために、ＵＥ１０５は、サービングｇＮＢ１１０−１からアイドル期間を要求し得る。このプロセスに関するさらなる詳細が図５に示されている。
【００４５】
[0054]  図５は、一実施形態によると、ＬＴＥネットワーク中でｎｇ−ｅＮＢ１８０およびｅＮＢ１７０からＯＴＤＯＡタイミング情報を収集するために、５Ｇネットワーク中でサービングｇＮＢ１１０のためにＵＥ１０５がＮＲワイヤレスアクセスからチューンアウェイすることを可能にする、通信システム１００の様々なコンポーネント間で通信されるメッセージを図示するシグナリングフロー図である。図５は、図４中のブロック４１８に対応し得る（例えば、部分的にまたは全体をサポートし得る）。図５はＬＴＥに関するＯＴＤＯＡ測定を取得するためにＮＲワイヤレスアクセスからチューンアウェイすることを図示しているが、いくつかのまたは同様のプロシージャは、ＬＴＥのためのＥＣＩＤ測位、Ａ−ＧＮＳＳ、ＲＴＫ、および／またはＷＬＡＮ測位に関する測位などの、ロケーション測定結果の他のタイプを取得するために、ＵＥ１０５がＮＲワイヤレスアクセスからチューンアウェイすることを可能にするために使用され得ることに留意されたい。
【００４６】
[0055]  アクション５０１において、ＵＥ１０５は、ＮＲ無線リソース制御（ＲＲＣ）アイドル期間要求をｇＮＢ１１０−１に送る。ｇＮＢ１１０−１は通常、ＵＥ１０５のためのサービングｇＮＢ（または、プライマリサービングｇＮＢ）であり得る。要求は、要求される長さのアイドル期間（例えば、５０ｍｓ）、および場合によっては、後のブロック５０６においてＬＴＥタイミング情報を測定および取得するのに十分であるアイドル期間がいつ生じるべきかを含み得る。所望の機能に従って、ｇＮＢ１１０−１は、アクション５０２において、ＲＲＣ確認アイドル期間メッセージを送ることによって返答し得る（そうでない場合、いくつかの実施形態では、ＵＥ１０５は、アクション５０１において送られた要求が承認されたとみなすことができる）。要求されたアイドル期間中、ブロック５０３において、ＵＥ１０５がアイドル期間中にＮＲワイヤレスアクセスからチューンアウェイすることを可能にするために、ｇＮＢ１１０−１は、ＵＥ１０５へのＮＲ送信を一時停止し、ＵＥ１０５からのＮＲ受信を一時停止する。
【００４７】
[0056]  ＵＥ１０５は次いで、アイドル期間中に、（例えば、ｇＮＢ１１０−１についての）５Ｇ ＮＲキャリア周波数から、ｎｇ−ｅＮＢ１８０によっておよび／またはｅＮＢ１７０によってサポートされたＬＴＥキャリア周波数へとチューンアウェイすることができる。ブロック５０６において、ＵＥ１０５は次いで、アイドル期間中に、ｎｇ−ｅＮＢ１８０−１またはｅＮＢ１７０−１に関するＯＴＤＯＡ参照セルについてのＬＴＥセルタイミング（cell timing）およびシステムフレーム番号（ＳＦＮ）を取得し得る。ｎｇ−ｅＮＢ１８０−１またはｅＮＢ１７０−１によってサポートされる参照セルについてのＬＴＥセルタイミングおよびＳＦＮは、それぞれアクション５０４またはアクション５０５において、それぞれｎｇ−ｅＮＢ１８０−１またはｅＮＢ１７０−１によってブロードキャストされるＲＲＣシステム情報ブロック（ＳＩＢ：System Information Block）からＵＥ１０５によって取得され得る。例えば、ＵＥ１０５は、ｎｇ−ｅＮＢ１８０−１またはｅＮＢ１７０−１によってブロードキャストされるマスタ情報ブロック（ＭＩＢ：Master Information Block）およびＳＩＢを捕捉および測定し得る。アクション４１４および４１５においてＵＥ１０５に送られた補助データの一部として、参照セルのためのアイデンティティおよびキャリア周波数がＬＭＦ１２０によって以前にＵＥ１０５に提供されている可能性がある。ＵＥ１０５は次いで、ｇＮＢ１１０−１へのＮＲワイヤレスアクセスにチューンバック（tune back）し得る。
【００４８】
[0057]  ブロック５０７において、ＵＥ１０５は、（アクション４１４および４１５において送られたＬＰＰ補助データにおいて）ＬＭＦ１２０によって提供された、ｎｇ−ｅＮＢ１８０および／またはｅＮＢ１７０に関する参照セルおよび隣接セルのためのＰＲＳ測位機会のＬＴＥタイミングを、ｇＮＢ１１０−１のための対応するＮＲタイミングに変換することができる。これは、図６および図７に関して後述されるように、ＬＴＥ ＰＲＳサブフレームタイミングを、等価のＮＲタイミング（例えば、ＮＲサブフレーム、ＮＲ無線フレーム、または他のＮＲシグナリングユニットに関して）に変換することを意味する。この変換を行う際に、ＵＥ１０５は、ｎｇ−ｅＮＢ１８０および／またはｅＮＢ１７０からＬＴＥ ＰＲＳ信号を測定するのに適切な（ＮＲタイミングに関する）ＮＲ測定ギャップを決定し得る。
【００４９】
[0058]  図５に示されるように、アクション５０１〜５０２および５０４〜５０５、並びに、ブロック５０３、５０６、および５０７において説明される機能はオプションであり、所望される場合、ＯＴＤＯＡ測定のために使用され得ることに留意されたい。すなわち、いくつかの実施形態では、ＬＭＦ１２０は、それらのＰＲＳ信号が送信される時間を含む、ｎｇ−ｅＮＢ１８０および／またはｅＮＢ１７０によって送信されたＰＲＳ信号に関する情報をＵＥ１０５に提供する。しかしながら、これらの時間は、ＬＴＥタイミングに関連し得る。そのため、ブロック５０６においてＬＴＥ ＯＴＤＯＡ参照セル（または何らかの他のＬＴＥセル）からのタイミング情報を取得することによって、ＵＥ１０５は、ＰＲＳ信号が送信されるＬＴＥタイミングおよび対応する絶対時間（absolute times）（例えば、全地球測位システム（ＧＰＳ）時間）またはローカル時間（local times）（例えば、ＵＥ内部の時間）を発見し得る。これは、ＵＥ１０５が、ＰＲＳ機会についてのＬＴＥ信号タイミングを、対応するＮＲタイミングに変換することを可能にし得る。
【００５０】
[0059]  図６および図７で後述されるように、通常、ｎｇ−ｅＮＢ１８０および／またはｅＮＢ１７０は、異なるキャリア周波数ごとに異なるＬＴＥタイミングを使用し得るが、同じＬＴＥキャリア周波数を使用するときに同期し得るため、ブロック５０６および５０７において行われるアクションは、アクション４１４および４１５においてＬＭＦ１２０による測定のためにＵＥ１０５が要求された、参照セルおよび隣接セルによって使用される別個のＰＲＳキャリア周波数ごとにＵＥ１０５によって繰り返され得る。これは、別個のＬＴＥキャリア周波数ごとに、ＬＴＥタイミングに対応するＮＲタイミングをＵＥ１０５が決定することを可能にし得る。しかしながら、各ＰＲＳキャリア周波数に対応するＮＲタイミングを推測するために別個のＰＲＳキャリア周波数ごとのＬＴＥタイミング間の関係をＵＥ１０５が使用できるため、ＬＭＦ１２０が（例えば、ＬＰＰによってサポートされるような、および図６および図７に関連して後述されるような）別個のＰＲＳキャリア周波数ごとのＬＴＥタイミング間の関係をＵＥ１０５に提供する場合、ＵＥ１０５は、ブロック５０６および５０７において、１つのＰＲＳキャリア周波数に対応するＮＲタイミングを取得することのみを必要とする。
【００５１】
[0060]  ＵＥ１０５は次いで、ＮＲタイミングに関して、（例えば、いくつかの実施形態では約５〜１０ｍｓの一連の周期的な短い期間を備え得る）測定ギャップを要求するために、アクション５０８においてＮＲ ＲＲＣ測定ギャップ要求をｇＮＢ１１０−１に送り得る。ｇＮＢ１１０−１は、オプションで、アクション５０９において（例えば、ＵＥ１０５にＲＲＣ確認メッセージを送ることによって）要求を確認し得るか、またはＵＥ１０５は、その要求がサポートされていると仮定し得る。各々の測定ギャップ中に、ブロック５１０において、ＵＥ１０５が各測定ギャップ中にＮＲワイヤレスアクセスからチューンアウェイすることを可能にするために、ｇＮＢ１１０−１は、ＵＥ１０５へのＮＲ送信を一時停止し、ＵＥ１０５からのＮＲ受信を一時停止し得る。
【００５２】
[0061]  ＵＥ１０５は次いで、アクション５１１において、ｎｇ−ｅＮＢ１８０−１に関する参照セルまたは隣接セルについてのＰＲＳブロードキャストのための到着時間（ＴＯＡ：Time of Arrival）を捕捉および測定し、かつ５１２において、ｅＮＢ１７０−１に関する参照セルおよび隣接セルについてのＰＲＳブロードキャストのためのＴＯＡを捕捉および測定するために、周期的に（各測定ギャップが発生したときに）ＮＲアクセスからｇＮＢ１１０−１にチューンアウェイし得る。ＵＥ１０５は次いで、図６および図７に関して後述されるように、２つのＴＯＡ測定の差から、ブロック５１３においてＯＴＤＯＡ ＲＳＴＤ測定を取得し得る。この例では、ＵＥ１０５は、ｎｇ−ｅＮＢ１８０−１およびｅＮＢ１７０−１の各々に関してセル中のＰＲＳブロードキャストを測定し、かつこれらのセルのうちの１つがＯＴＤＯＡについての参照セルであると見なされるが、しかしながら、ＵＥ１０５が、参照セルであるこれらのセルのうちの１つを用いて一対のｅＮＢ１７０または一対のｎｇ−ｅＮＢ１８０中でＰＲＳブロードキャストを測定する、他のシナリオが可能である。さらに、全てのシナリオにおいて、ＵＥ１０５は、他のｎｇ−ｅＮＢ１８０および／または他のｅＮＢ１７０によって他のセルのためにＰＲＳブロードキャストに関する測定ギャップ中に、さらなるＴＯＡ測定を取得し得、ブロック５１３において、追加のＲＳＴＤ測定を決定するために、これらのさらなるＴＯＡ測定を使用し得る。追加的にまたは代わりに、ＵＥ１０５は、ＳＶ１９０についてのＧＮＳＳまたはＲＴＫ測定などの測定ギャップ中に、ブロック５１３において他の測定を取得し得る。これは、十分な測定が取得されるまで、または最大応答インターバルが満了するまで行われ得る。アクション５１４において、ＵＥ１０５は次いで、測定ギャップがもはや必要ではないことをｇＮＢ１１０−１に通知するために、オプションでＲＲＣ測定ギャップ停止メッセージ（RRC measurement gap stop message）をｇＮＢ１１０−１に送り得る。
【００５３】
[0062]  ＵＥ１０５は次いで、（例えば、アクション４１９において、図４に図示された処理を継続する）ＬＰＰ提供ロケーションメッセージ中の測定を含み得る。
【００５４】
[0063]  図５に示されるプロシージャの１つの変形において、ＬＭＦ１２０は、アクション４１４および４１５において送られた補助データ中の（例えば、ｎｇ−ｅＮＢ１８０−１またはｅＮＢ１７０−１に関するＯＴＤＯＡ参照セルについての）ｇＮＢ１１０−１のためのＮＲタイミングとＬＴＥタイミングとの間の関係をＵＥ１０５に提供し得る。例えば、ＬＭＦ１２０は、アクション４０６〜４０９において、ｎｇ−ｅＮＢ１８０−１からＯＴＤＯＡに関連した情報を取得するために使用されるものと同じまたは同様のプロシージャを使用することによって、ＮＲＰＰａを使用してｇＮＢ１１０−１から情報を要求および取得し得る。ｇＮＢ１１０−１からから取得された情報と、アクション４０６〜４０９においてｎｇ−ｅＮＢ１８０−１からおよび／またはアクション４１０〜４１３においてｅＮＢ１７０−１から取得されたＯＴＤＯＡに関連した情報とが、タイミング情報（例えば、ｎｇ−ｅＮＢ１８０−１および／またはｅＮＢ１７０−１のための絶対時間に関するｇＮＢ１１０−１およびＬＴＥタイミングのためのＧＰＳ時間などの絶対時間に関するＮＲタイミング情報）を含む場合、次いでＬＭＦ１２０は、アクション４１４および４１５において、ＮＲタイミングとＬＴＥタイミングとの間の関係を推測し、これを補助データとしてＵＥ１０５に提供することができる。このケースでは、ＵＥ１０５は、アクション５０１〜５０２、アクション５０４〜５０５、並びにブロック５０６および５０７を行うことを必要としない可能性があり、ｇＮＢ１１０−１は、ブロック５０３を行う必要がない可能性がある。
【００５５】
[0064]  図６は、一実施形態に従った、ＰＲＳ測位機会を有するＬＴＥサブフレームシーケンスの構造の図である。図６では、図示されるように、時間が水平に（例えば、Ｘ軸上に）表され、左から右へと時間が増大し、一方周波数は垂直に（例えば、Ｙ軸上に）表され、下から上へと周波数が増大（または減少）する。図６に示されるように、ダウンリンクおよびアップリンクＬＴＥ無線フレーム６１０は、各々が１０ｍｓの持続期間である。ダウンリンク周波数分割複信（ＦＤＤ：Frequency Division Duplex）モードに関して、無線フレーム６１０は、各々が１ｍｓ持続期間の１０個のサブフレーム６１２で構成される。各サブフレーム６１２は、各々が０．５ｍｓ持続期間の２つのスロット６１４を備える。
【００５６】
[0065]  周波数領域では、利用可能な帯域幅は、一定間隔を空けられた直交サブキャリア６１６に分割される。例えば、１５ｋＨｚ間隔を使用している通常の長さのサイクリックプレフィクスに関して、サブキャリア６１６は、１２個のサブキャリアのグループにグループ化され得る。図６中の１２個のサブキャリア６１６を備える各グループは、リソースブロックと呼ばれ、上記の例では、リソースブロック中のサブキャリアの数は、  
【数１】
2020522167.tif 000003
と記載され得る。所与のチャネル帯域幅に関して、送信帯域幅構成６２２とも呼ばれる、各チャネル６２２上の利用可能なリソースブロックの数は、  
【数２】
2020522167.tif 000004
と示される。例えば、上記の例の３ＭＨｚチャネル帯域幅に関して、各チャネル６２２上の利用可能なリソースブロックの数は、  
【数３】
2020522167.tif 000005
で与えられる。
【００５７】
[0066]  図１に図示されたアーキテクチャでは、ｎｇ−ｅＮＢ１８０および／またはｅＮＢ１７０は、図６および（後述するような）図７に図示されるＰＲＳのようなＰＲＳ（すなわち、ダウンリンク（ＤＬ）ＰＲＳ）を送信し得、それは、ＵＥ（例えば、ＵＥ１０５）位置決定のために測定および使用される。ｎｇ−ｅＮＢ１８０および／またはｅＮＢ１７０によるＰＲＳの送信が無線領域内の全てのＵＥに向けられるため、ｎｇ−ｅＮＢ１８０および／またはｅＮＢ１７０はまた、ＰＲＳをブロードキャストすると見なされる。
【００５８】
[0067]  ３ＧＰＰ ＬＴＥリリース９およびそれ以降のリリースで定義されているＰＲＳは、（例えば、オペレーションおよびメンテナンス（Ｏ＆Ｍ）サーバによる）適切な構成の後に、ｎｇ−ｅＮＢ１８０および／またはｅＮＢ１７０によって送信され得る。ＰＲＳは、（ＰＲＳ測位機会（positioning occasion）またはＰＲＳ機会とも呼ばれる）測位機会にグループ化される特殊測位サブフレームに送信される。例えば、ＬＴＥでは、ＰＲＳ測位機会は、数ＮＰＲＳが１と１６０の間にあり得る（例えば、値１、２、４、および６、並びに他の値を含み得る）連続する測位サブフレームの数ＮＰＲＳを備え得る。ｎｇ−ｅＮＢ１８０またはｅＮＢ１７０によってサポートされたセルのためのＰＲＳ測位機会は、ＴＰＲＳが５、１０、２０、４０、８０、１６０、３２０、６４０、または１２８０に等しくなり得るミリ秒（またはサブフレーム）間隔の、数ＴＰＲＳで表される間隔で、周期的に発生し得る。例示するように、図６は、ＮＰＲＳが４に等しく、ＴＰＲＳが２０以上である測位機会の周期性を図示している。いくつかの実施形態では、ＴＰＲＳは、複数の連続するＰＲＳ測位機会の開始の間のサブフレームの数に関して測定され得る。
【００５９】
[0068]  各測位機会内で、ＰＲＳは、一定の電力で送信され得る。ＰＲＳはまた、ゼロ電力で送信される（すなわち、ミュートされる）ことができる。一定にスケジューリングされたＰＲＳ送信をオフにするミューティング（Muting）は、異なるセル間のＰＲＳ信号が同時にまたはほぼ同時に発生することによってオーバーラップするときに有用であり得る。この場合、いくつかのセルからのＰＲＳ信号は、他のセルからのＰＲＳ信号が（例えば、一定電力で）送信される間、ミューティングされ得る。ミューティングは、ミューティングされているＰＲＳ信号からの干渉を避けることによってミューティングされないＰＲＳ信号に対して、ＵＥ１０５による信号捕捉およびＲＳＴＤ測定を支援し得る。ミューティングは、特定のセルのための所与の測位機会のためにＰＲＳの非送信と見なされ得る。ミューティングパターンは、ビットストリングを使用してＵＥ１０５に（例えば、ＬＰＰを使用して）シグナリングされ得る。例えば、ミューティングパターンをシグナリングするビットストリングでは、ポジションｊにおけるビットが「０」に設定される場合、ＵＥ１０５は、ｊ番目の測位機会に対してＰＲＳがミューティングされることを暗示する。
【００６０】
[0069]  ＰＲＳの可聴性（hearability）をさらに改善するために、測位サブフレームは、ユーザデータチャネルを用いずに送信された低干渉サブフレームであり得る。結果として、理想的にシンクロされたネットワークでは、ＰＲＳは、同じＰＲＳパターンインデックスを有する（すなわち、同じ周波数シフトを有するが、データ送信からのものではない）他のセルのＰＲＳからの干渉を受信し得る。例えば、ＬＴＥにおいて、周波数シフトは、ＰＲＳ ＩＤが割り当てられない場合、セルまたは送信ポイント（ＴＰ：Transmission Point）  
【数４】
2020522167.tif 000006
についてのＰＲＳ ＩＤの関数として、または物理セル識別子（ＰＣＩ）  
【数５】
2020522167.tif 000007
の関数として定義され、それは、６の有効周波数再利用係数（effective frequency re-use factor）をもたらす。
【００６１】
[0070]  ＰＲＳの可聴性をさらに改善するために（例えば、ＰＲＳ帯域幅が１．４ＭＨｚ帯域幅に対応する６つのリソースブロックのみを有するなどのように制限されるとき）、連続するＰＲＳ測位機会（または連続するＰＲＳサブフレーム）のための周波数帯域は、周波数ホッピングを介して既知のおよび予測可能な方法で変更され得る。加えて、ｎｇ−ｅＮＢ１８０またはｅＮＢ１７０によってサポートされるセルは、１より多いＰＲＳ構成をサポートし得、ここで、各ＰＲＳ構成は、特定の周期性（ＴＰＲＳ）および測位機会ごとの特定の数のサブフレーム（ＮＰＲＳ）を有するＰＲＳ測位機会の別個のシーケンスを備える。ＰＲＳのさらなる強化は、ｎｇ−ｅＮＢ１８０またはｅＮＢ１７０によってもまたサポートされ得る。
【００６２】
[0071]  ＯＴＤＯＡ補助データは通常、「参照セル（reference cell）」と、「参照セル」に関連する１つまたは複数の「隣接セル（neighbor cells）」または「隣接しているセル（neighboring cells）」のためのロケーションサーバ（例えば、Ｅ−ＳＭＬＣ１６０またはＬＭＦ１２０）によってＵＥ１０５に提供される。例えば、補助データは、各セルの中央チャネル周波数（キャリア周波数とも呼ばれる）、様々なＰＲＳ構成パラメータ（例えば、ＮＰＲＳ、ＴＰＲＳ、ミューティングシーケンス、周波数ホッピングシーケンス、ＰＲＳ ＩＤ、ＰＲＳコードシーケンス、ＰＲＳ帯域幅）、セルグローバルＩＤ、および／またはＯＴＤＯＡに適用可能な他のセル関連したにパラメータを提供し得る。
【００６３】
[0072]  ＵＥ１０５によって測位するＰＲＳは、（例えば、サービングセルであるものとして示される参照セルを用いて）ＯＴＤＯＡ補助データ中にＵＥ１０５のためのサービングセルを含むことによって促進され得る。ＮＲワイヤレスアクセスを有するＵＥ１０５のケースでは、参照セルは、（例えば、ＵＥ１０５のための既知のＮＲサービングセルによって示されるような）ＵＥ１０５の予期された代替のロケーションにおいて、良好なカバレッジでｎｇ−ｅＮＢ１８０またはｅＮＢ１７０のためのいくつかのセルとしてＬＭＦ１２０によって選択され得る。
【００６４】
[0073]  ＯＴＤＯＡ補助データはまた、「予測されたＲＳＴＤ」パラメータを含み得、それは、ＵＥ１０５にＲＳＴＤ値についての情報を提供し、ＵＥ１０５は、予期されたＲＳＴＤパラメータの不確実性を伴って、参照セルと各隣接セルとの間のそれの現在のロケーションで測定することを予期される。不確実性を伴う予期されたＲＳＴＤは、ＵＥ１０５がＲＳＴＤ値（またはＲＳＴＤ値に対応するＴＯＡ値）を測定するために予期されたＵＥ１０５のためのサーチウィンドウを定義する。ＯＴＤＯＡ補助情報はまた、ＰＲＳ構成情報パラメータも含み得、それは、ＰＲＳ測位機会が参照セルについてのＰＲＳ測位機会に関連する様々な隣接セルから受信した信号上で発生すること、および信号の到着時間（ＴＯＡ）またはＲＳＴＤを測定するために様々なセルから送信されるＰＲＳシーケンスをＵＥ１０５が決定することを可能にする。
【００６５】
[0074]  ＲＳＴＤ測定、各セルの既知の絶対または相対送信タイミング、並びに、基準および隣接セルについてのｎｇ−ｅＮＢ１８０および／またはｅＮＢ１７０物理送信アンテナの既知の位置を使用して、ＵＥ１０５の位置が（例えば、ＬＭＦ１２０によってまたはＵＥ１０５によって）計算され得る。参照セル「Ｒｅｆ」に関する隣接セル「ｋ」のためのＲＳＴＤが、（ＴＯＡｋ−ＴＯＡＲｅｆ）として与えられ得る。異なるセルのためのＴＯＡ測定は、（例えば、「物理層；測定（Physical layer; Measurements）」と題された３ＧＰＰ ＴＳ３６．２１４中で定義されるように）ＲＳＴＤ測定に変換され得、ＵＥ１０５によってロケーションサーバ（例えば、ＬＭＦ１２０）に送られ得る。（ｉ）ＲＳＴＤ測定、（ｉｉ）各セルの既知の接待または相対送信タイミング、および（ｉｉｉ）基準および隣接セルのためのｎｇ−ｅＮＢ１８０および／またはｅＮＢ１７０の物理送信アンテナの既知の位置を使用して、ＵＥ１０５の位置が決定され得る。
【００６６】
[0075]  図７は、ｎｇ−ｅＮＢ１８０またはｅＮＢ１７０によってサポートされるセルのためＰＲＳ送信のさらなる態様を図示する。図７は、ＰＲＳ測位機会がシステムフレーム番号（ＳＦＮ）、セル固有のサブフレームオフセット（ΔＰＲＳ）、およびＰＲＳ周期性（ＴＰＲＳ）６２０によってどのように決定されるかを示す。通常、セル固有のＰＲＳサブフレーム構成は、ＯＴＤＯＡ補助データに含まれる「ＰＲＳ構成インデックス（PRS Configuration Index）」ＩＰＲＳによって定義される。ＰＲＳ周期性（ＴＰＲＳ）６２０およびセル固有のサブフレームオフセット（ΔＰＲＳ）（例えば、図７に示されるような）は、以下の表１に例示されるような「物理チャネルおよび変調（Physical channels and modulation）」と題された３ＧＰＰ ＴＳ３６．２１１中で、ＰＲＳ構成インデックスＩＰＲＳに基づいて定義される。
【表１】
2020522167.tif 000008
【００６７】
[0076]  ＰＲＳ構成は、ＰＲＳを送信するセルのシステムフレーム番号を参照して定義される。第１のＰＲＳ測位機会を備えるＮＰＲＳダウンリンクサブフレームの第１のサブフレームに関して、ＰＲＳインスタンスは、以下を満たし得る：
【数６】
2020522167.tif 000009
ここで、
ｎｆは、０≦ｎｆ≦１０２３を有するＳＦＮであり、
ｎｓは、０≦ｎｓ≦１９を有するｎｆによって定義された無線フレーム内のスロット数であり、
ＴＰＲＳは、ＰＲＳ周期性であり、
ΔＰＲＳは、セル固有のサブフレームオフセットである。
【００６８】
[0077]  図７に示されるように、セル固有のサブフレームオフセットΔＰＲＳ７５２は、システムフレーム番号０を始点として送信された、スロット番号０  ７５０から第１の（後続の）ＰＲＳ測位機会の開始までの、サブフレームの数に関して定義され得る。図７では、連続する測位サブフレーム６１８の数（ＮＰＲＳ）は、４に等しい。
【００６９】
[0078]  いくつかの実施形態では、ＵＥ１０５が特定のセルに関するＯＴＤＯＡ補助データ中のＰＲＳ構成インデックスＩＰＲＳを受信するとき、ＵＥ１０５は、表１を使用して、ＰＲＳ周期性ＴＰＲＳおよびＰＲＳサブフレームオフセットΔＰＲＳを決定し得る。ＵＥ１０５は次いで、ＰＲＳが（例えば、式（１）を使用して）セル中でスケジューリングされたとき、無線フレーム、サブフレーム、およびスロットを決定し得る。ＯＴＤＯＡ補助データは、ＬＭＦ１２０によって定義され、ｎｇ−ｅＮＢ１８０および／またはｅＮＢ１７０によってサポートされる隣接セルの数、および参照セルのための補助データを含み得る。
【００７０】
[0079]  通常、同じキャリア周波数を使用するネットワーク中の全てのセルからのＰＲＳ機会は時間でアラインされ、異なるキャリア周波数を使用するネットワーク中の他のセルに関連する固定された既知の時間オフセットを有し得る。ＳＦＮ同期ネットワークでは、全てのｎｇ−ｅＮＢ１８０および全てのｅＮＢ１７０は、両方のフレーム境界およびシステムフレーム番号の両方でアラインされ得る。従って、ＳＦＮ同期ネットワークでは、ｎｇ−ｅＮＢ１８０およびｅＮＢ１７０によってサポートされる全てのセルは、ＰＲＳ送信の任意の特定の周波数に関して同じＰＲＳ構成インデックスを使用し得る。一方、ＳＦＮ非同期ネットワークでは、全てのｎｇ−ｅＮＢ１８０および全てのｅＮＢ１７０は、システムフレーム番号ではなく、フレーム境界でアラインされ得る。よって、ＳＦＮ非同期ネットワークでは、セルごとのＰＲＳ構成インデックスは、時間でＰＲＳ機会がアラインするように、ネットワークによって別個に構成され得る。
【００７１】
[0080]  ＵＥ１０５は、例えば、図５中のブロック５０６でのように、ＵＥ１０５が複数のセル（例えば、参照セル）のうちの少なくとも１つのセルタイミング（例えば、ＳＦＮまたはフレーム番号）を取得することができる場合、ＯＴＤＯＡ測位のための基準および隣接セルのＰＲＳ機会のＬＴＥタイミング（ＰＲＳタイミングとも呼ばれる）を決定し得る。他のセルのＬＴＥタイミングは次いで、例えば、異なるセルからのＰＲＳ機会がオーバーラップするとの仮定に基づいて、ＵＥ１０５によって導出され得る。
【００７２】
[0081]  図６および図７は、図５中のブロック５０６、５０７、および５１３において、ＬＴＥ ＰＲＳタイミングがどのように搬送、変換、および／または測定され得るかを示す。
【００７３】
[0082]  図８は、一実施形態に従った、５Ｇ ＮＲワイヤレスアクセスによってＵＥのロケーションをサポートする方法８００を図示するフロー図である。本明細書に添付された図面と同様に、図８が限定されない例として提供されることに留意されたい。他の実施形態は、所望の機能に応じて変化し得る。例えば、方法８００に図示される機能ブロックは、異なる実施形態を適合させるために、組み合わせられるか、分割されるか、または再配置され得る。この方法８００は、ＵＥ１０５などのＵＥによって行われ得る。方法８００の機能を行うための手段は、図１〜５についての、および図１１に示され上述される、ＵＥ１０５などのＵＥのハードウェアおよび／またはソフトウェア手段を含み得る。
【００７４】
[0083]  ブロック８１０における機能は、ロケーション管理機能（例えば、ＬＭＦ１２０）などのロケーションサーバから第１のロングタームエボリューション（ＬＴＥ）測位プロトコル（ＬＰＰ）メッセージを受信することを備え、ここで、第１のＬＰＰメッセージは、ロケーション要求を備え、かつｇＮＢ（例えば、ｇＮＢ１１０−１）などのサービング５Ｇ基地局を介して受信される。ブロック８１０は、図４中のアクション４１７に対応し得る。ブロック８１０において機能を行うための手段は、例えば、図１１に示され以下で説明されるような、処理ユニット１１１０、バス１１０５、メモリ１１６０、ワイヤレス通信インターフェース１１３０、ワイヤレス通信アンテナ１１３２、および／または、ＵＥ１０５の他のハードウェアおよび／またはソフトウェアコンポーネントを含み得る。
【００７５】
[0084]  ブロック８２０において、少なくとも１つのロケーション測定結果は、第１のＬＰＰメッセージに基づいて取得され、ここで、少なくとも１つのロケーション測定結果は、無線アクセス技術（ＲＡＴ）独立型位置決め方法についての測定結果または発展型ユニバーサル地上無線アクセス（Ｅ−ＵＴＲＡ）位置決め方法についての測定結果であり得る。いくつかの実施形態では、ＲＡＴ独立型位置決め方法は、アシスト型全地球航法衛星システム（Ａ−ＧＮＳＳ）、リアルタイムキネマティック（ＲＴＫ）、精密地点測位（ＰＰＰ）、差動Ａ−ＧＮＳＳ、ワイヤレスローカルエリアネットワーク（ＷＬＡＮ）（ＷｉＦｉ測位とも呼ばれる）、Ｂｌｕｅｔｏｏｔｈ、センサ、またはそれらの任意の組み合わせを備え得る。Ｅ−ＵＴＲＡ位置決め方法は、Ｅ−ＵＴＲＡ位置決め方法は、Ｅ−ＵＴＲＡに関する観測到着時間差（ＯＴＤＯＡ）、またはＥ−ＵＴＲＡに関する拡張型セルＩＤ（ＥＣＩＤ）を備え得る。ブロック８２０は、図４中のブロック４１８に対応し得る。
【００７６】
[0085]  ブロック８２０における機能を行うための手段は、例えば、図１１に示され以下で説明されるような、処理ユニット１１１０、バス１１０５、メモリ１１６０、ワイヤレス通信インターフェース１１３０、ワイヤレス通信アンテナ１１３２、および／または、ＵＥ１０５の他のハードウェアおよび／またはソフトウェアコンポーネントを含み得る。
【００７７】
[0086]  ブロック８３０における機能は、少なくとも１つのロケーション測定結果に基づいてロケーション情報を決定することを含む。例えば、ロケーション情報は、ＵＥのためのロケーション推定を備え得る。代替的に、ロケーション情報は、少なくとも１つのロケーション測定結果を備え得る。ブロック８３０は、図４中のブロック４１８に対応し得る。ブロック８３０における機能を行うための手段は、例えば、図１１に示され以下で説明されるような、処理ユニット１１１０、バス１１０５、メモリ１１６０、ワイヤレス通信インターフェース１１３０、ワイヤレス通信アンテナ１１３２、および／または、ＵＥ１０５の他のハードウェアおよび／またはソフトウェアコンポーネントを含み得る。
【００７８】
[0087]  ブロック８４０における機能は、ロケーションサーバに第２のＬＰＰメッセージを送ることを含み、ここで、第２のＬＰＰメッセージは、ロケーション情報を備え、かつサービング５Ｇ基地局を介して送られる。ブロック８４０は、図４中のアクション４１９に対応し得る。ブロック８４０における機能を行うための手段は、例えば、図１１に示され以下で説明されるような、処理ユニット１１１０、バス１１０５、メモリ１１６０、ワイヤレス通信インターフェース１１３０、ワイヤレス通信アンテナ１１３２、および／または、ＵＥ１０５の他のハードウェアおよび／またはソフトウェアコンポーネントを含み得る。
【００７９】
[0088]  方法８００の代替的な実施形態は、所望の機能に応じて、追加の機能を含み得る。例えば、いくつかの実施形態では、第１のＬＰＰメッセージは、ＬＰＰ要求ロケーション情報メッセージであり、第２のＬＰＰメッセージは、ＬＰＰ提供ロケーション情報メッセージである。いくつかの実施形態は、ロケーションサーバから第３のＬＰＰメッセージを受信することをさらに含み、ここで第３のＬＰＰメッセージは、ＲＡＴ独立型位置決め方法またはＥ−ＵＴＲＡ位置決め方法のための補助データを備え、かつサービング５Ｇ基地局を介して受信され、少なくとも１つのロケーション測定結果を取得することは、補助データに基づく。第３のＬＰＰメッセージは、（例えば、図４中のアクション４１５のような）ＬＰＰ提供補助データメッセージであり得る。
【００８０】
[0089]  いくつかの実施形態は、ロケーションサーバから第４のＬＰＰメッセージを受信することと、ここで、第４のＬＰＰメッセージは、ＵＥのＬＰＰ測位能力を求める要求を備え、かつサービング５Ｇ基地局を介して受信される、およびロケーションサーバに第５のＬＰＰメッセージを送ることと、をさらに含み得る。第５のＬＰＰメッセージは、ＮＲワイヤレスアクセスをＵＥが有するとき、ＵＥのＬＰＰ測位能力を備え得、かつサービング５Ｇ基地局を介して送られる。（例えば、図４中のアクション４０３のように）第４のＬＰＰメッセージは、ＬＰＰ要求能力メッセージを備え得、（例えば、図４中のアクション４０４のように）第５のＬＰＰメッセージは、ＬＰＰ提供能力メッセージを備え得る。
【００８１】
[0090]  いくつかの実施形態では、方法８００は、（例えば、図５中のアクション５０８のように）サービング５Ｇ基地局に測定ギャップを求める要求を送ることと、（例えば、図５中のアクション５１１、５１２、またはブロック５１３のように）測定ギャップ中に少なくとも１つのロケーション測定結果を取得することと、をさらに備え得る。いくつかの実施形態では、測定ギャップを求める要求は、ＮＲ無線リソース制御（ＲＲＣ）メッセージを備え得る。さらに、いくつかの実施形態では、少なくとも１つのロケーション測定結果は、Ｅ−ＵＴＲＡに関するＯＴＤＯＡについての基準信号時間差（ＲＳＴＤ）測定結果を備え得、方法は、（例えば、図５中のアクション５０１のように）サービング５Ｇ基地局にアイドル期間を求める要求を送ることと、（例えば、図５中のブロック５０６のように）アイドル期間中に、（例えば、ＬＴＥに関する）ＯＴＤＯＡ参照セルについてのＬＴＥタイミングおよび／またはシステムフレーム番号（ＳＦＮ）を取得することと、をさらに備え、ここで、測定ギャップを求める要求は、（例えば、図５中のブロック５０７のように）ＬＴＥタイミングおよびＳＦＮに基づく。アイドル期間を求める要求は、ＮＲ  ＲＲＣメッセージを備え得る。ＯＴＤＯＡ参照セルは、Ｅ−ＵＴＲＡＮ（例えば、Ｅ−ＵＴＲＡＮ１５０）中のｅＮＢ（例えば、ｅＮＢ１７０）のためのセルであり得るか、またはＮＧ−ＲＡＮ（例えば、ＮＧ−ＲＡＮ１３５）中のｎｇ−ｅＮＢ（例えば、ｎｇ−ｅＮＢ１８０）のためのセルであり得、それは、サービング５Ｇ基地局を含み得る。
【００８２】
[0091]  いくつかの実施形態はアクセス管理機能（ＡＭＦ）（例えば、ＡＭＦ１１５）にインジケーションを送ることをさらに備え、それは、ＡＭＦを用いた位置決めの一部として発生し得、ここで、インジケーションは、ＮＲワイヤレスアクセスによってＬＰＰをＵＥがサポートするとのインジケーションであり、ここで、ＡＭＦは、ロケーションサーバにインジケーションを転送する。追加的にまたは代替的に、例えば、図１〜３に関して説明されるように、第１のＬＰＰメッセージは、非アクセス階層（ＮＡＳ）トランスポートメッセージ（例えば、５Ｇ  ＮＡＳトランスポートメッセージ）中で受信され得、第２のＬＰＰメッセージは、ＮＡＳトランスポートメッセージ（例えば、５Ｇ ＮＡＳトランスポートメッセージ）中で送られ得る。
【００８３】
[0092]  図９は、一実施形態に従った、第５世代（５Ｇ）ＮＲワイヤレスアクセスによってＵＥ１０５などのユーザ機器（ＵＥ）のロケーションをサポートするための、ＬＭＦ（例えば、ＬＭＦ１２０）などのロケーションサーバにおける方法９００を図示するフロー図である。本明細書に添付された図面と同様に、図９が限定されない例として提供されることに留意されたい。他の実施形態は、所望の機能に応じて変化し得る。例えば、方法９００に図示される機能ブロックは、異なる実施形態を適合させるために、組み合わせられるか、分割されるか、または再配置され得る。この方法９００は、ＬＭＦ１２０などのＬＭＦによって行われ得る。方法９００の機能を行うための手段は、図１２に示され以下でより詳細に説明される、コンピュータシステム１２００などのコンピュータシステムのハードウェアおよび／またはソフトウェア手段を含み得る。
【００８４】
[0093]  ブロック９１０における機能は、ＵＥにロングタームエボリューション（ＬＴＥ）測位プロトコル（ＬＰＰ）メッセージを送ることを備えるを含み、ここで、第１のＬＰＰメッセージは、ロケーション要求を備え、かつアクセス管理機能（ＡＭＦ）（例えば、ＡＭＦ１１５）およびＵＥのためのサービング５Ｇ基地局（例えば、ｇＮＢ１１０−１）を介して送られる。ブロック９１０は、図４中のアクション４１６に対応し得る。ブロック９１０における機能を行うための手段は、例えば、図１２に示され以下で説明されるような、処理ユニット１２１０、バス１２０５、通信サブシステム１２３０、ワイヤレス通信インターフェース１２３３、ワーキングメモリ１２３５、オペレーティングシステム１２４０、アプリケーション１２４５、および／または、コンピュータシステム１２００の他のハードウェアおよび／またはソフトウェアコンポーネントを含み得る。
【００８５】
[0094]  ブロック９２０において、第２のＬＰＰメッセージはＵＥから受信され、ここで、第２のＬＰＰメッセージは、ＵＥについてのロケーション情報を備え、ＡＭＦおよびサービング５Ｇ基地局を介して受信され、ロケーション情報は、ＵＥによって取得された少なくとも１つのロケーション測定結果に基づく。少なくとも１つのロケーション測定結果は、無線アクセス技術（ＲＡＴ）独立型位置決め方法についての測定結果または発展型ユニバーサル地上無線アクセス（Ｅ−ＵＴＲＡ）位置決め方法についての測定結果であり得る。いくつかの実施形態では、ＲＡＴ独立型位置決め方法は、アシスト型全地球航法衛星システム（Ａ−ＧＮＳＳ）、リアルタイムキネマティック（ＲＴＫ）、精密地点測位、差動Ａ−ＧＮＳＳ、ワイヤレスローカルエリアネットワーク（ＷＬＡＮ）、Ｂｌｕｅｔｏｏｔｈ、センサ、またはそれらの任意の組み合わせを備え得る。Ｅ−ＵＴＲＡ位置決め方法は、Ｅ−ＵＴＲＡ位置決め方法は、Ｅ−ＵＴＲＡに関する観測到着時間差（ＯＴＤＯＡ）、および／またはＥ−ＵＴＲＡに関する拡張されたセルＩＤ（ＥＣＩＤ）を備え得る。ブロック９２０は、図４中のアクション４２０に対応し得る。ブロック９２０における機能を行うための手段は、例えば、図１２に示され以下で説明されるような、処理ユニット１２１０、バス１２０５、通信サブシステム１２３０、ワイヤレス通信インターフェース１２３３、ワーキングメモリ１２３５、オペレーティングシステム１２４０、アプリケーション１２４５、および／または、コンピュータシステム１２００の他のハードウェアおよび／またはソフトウェアコンポーネントを含み得る。
【００８６】
[0095]  ブロック９３０において、機能は、ロケーション情報に基づいてＵＥについてのロケーション推定を決定することを含む。いくつかの実施形態では、ロケーション情報は、ロケーション推定を備える。いくつかの他の実施形態では、ロケーション情報は、少なくとも１つのロケーション測定結果を備える。ブロック９３０は、図４中のブロック４２１に対応し得る。ブロック９３０における機能を行うための手段は、例えば、図１２に示され以下で説明されるような、処理ユニット１２１０、バス１２０５、ワーキングメモリ１２３５、オペレーティングシステム１２４０、アプリケーション１２４５、および／または、コンピュータシステム１２００の他のハードウェアおよび／またはソフトウェアコンポーネントを含み得る。
【００８７】
[0096]  方法９００の代替的な実施形態は、１つまたは複数の追加の特徴を有し得る。例えば、第１のＬＰＰメッセージは、ＬＰＰ要求ロケーション情報メッセージを備え、第２のＬＰＰメッセージは、ＬＰＰ提供ロケーション情報メッセージを備え得る。
【００８８】
[0097]  いくつかの実施形態では、方法９００は、ＵＥに第３のＬＰＰメッセージを送ることをさらに備え得、ここで、第３のＬＰＰメッセージは、ＲＡＴ独立型位置決め方法および／またはＥ−ＵＴＲＡ位置決め方法のための補助データを備え、かつＡＭＦおよびサービング５Ｇ基地局を介して送られ、少なくとも１つのロケーション測定結果は、補助データに少なくとも部分的に基づく。これらの実施形態では、第３のＬＰＰメッセージは、（例えば、図４中のアクション４１４のような）ＬＴＥ提供補助データメッセージを備え得る。これらの実施形態では、少なくとも１つのロケーション測定結果は、Ｅ−ＵＴＲＡに関するＯＴＤＯＡについてのロケーション推定であり得、ここで、補助データは、Ｅ−ＵＴＲＡＮ（例えば、Ｅ−ＵＴＲＡＮ１５０）中の少なくとも１つのｅＮＢ（例えば、ｅＮＢ１７０）、またはサービング５Ｇ基地局を含み得るＮＧ−ＲＡＮ（例えば、ＮＧ−ＲＡＮ１３５）中の少なくとも１つのｎｇ−ｅＮＢ（例えば、ｅＮＢ１８０）のための補助データを備え得る。これらの実施形態では、補助データは、（例えば、図４のためのアクション４１４に関して説明されるように）少なくとも１つのｅＮＢによってまたは少なくとも１つのｎｇ−ｅＮＢによって送信されるＰＲＳのための構成情報を備え得る。
【００８９】
[0098]  方法９００は、オプションで、ＵＥに第４のＬＰＰメッセージを送ることをさらに備え、ここで、第４のＬＰＰメッセージは、ＵＥのＬＰＰ測位能力を求める要求を備え、かつＡＭＦおよびサービング５Ｇ基地局を介して送られ、ＵＥから第５のＬＰＰメッセージを受信することと、ここで、第５のＬＰＰメッセージは、ＵＥがＮＲワイヤレスアクセスを有するとき、ＵＥのＬＰＰ測位能力を備え、かつＡＭＦおよびサービング５Ｇ基地局を介して受信される。いくつかの実施形態では、（例えば、図４中のアクション４０２のように）第４のＬＰＰメッセージは、ＬＰＰ要求能力メッセージを備え得、（例えば、図４中のアクション４０５のように）第５のＬＰＰメッセージは、ＬＰＰ提供能力メッセージを備え得る。さらに、方法９００は、オプションで、ＡＭＦからのインジケーションを受信することを備え、ここで、インジケーションは、ＮＲワイヤレスアクセスによってＬＰＰをＵＥがサポートするとのインジケーションを備え、第４のＬＰＰメッセージを送ることは、インジケーションに基づく。
【００９０】
[0099]  図１０は、一実施形態に従った、ＮＲワイヤレスアクセスによってＵＥ１０５などのユーザ機器（ＵＥ）のロケーションをサポートするための、ｇＮＢなどの５Ｇ基地局における方法１０００を図示する。本明細書に添付された図面と同様に、図１０が限定されない例として提供されることに留意されたい。他の実施形態は、所望の機能に応じて変化し得る。例えば、方法１０００に図示される機能ブロックは、異なる実施形態を適合させるために、組み合わせられるか、分割されるか、または再配置され得る。方法１０００は、ｇＮＢ１１０などのｇＮＢによって行われ得る。方法１０００の機能を行うための手段は、図１２に示され以下でより詳細に説明される、コンピュータシステム１２００などのコンピュータシステムのハードウェアおよび／またはソフトウェア手段を含み得る。
【００９１】
[0100]  ブロック１０１０における機能は、ＵＥにＡＭＦ（例えば、ＡＭＦ１１５）から受信した第１のＬＰＰメッセージを送ることを含む。例えば、ブロック１０１０は、ＡＭＦからの（またはｎｇ−ｅＮＢ１８０などのｎｇ−ｅＮＢを介するＡＭＦからの）ＮＡＳトランスポートメッセージ内の第１のＬＰＰメッセージ（例えば、ＬＰＰ要求ロケーション情報メッセージ）を受信することと、図１〜図３に関連して前に説明されたようなＵＥにＮＡＳトランスポートメッセージ内の第１のＬＰＰメッセージを送ることと、を含み得る。いくつかの実施形態では、５Ｇ基地局は、ＵＥのためのサービング基地局であり得る。ブロック１０１０は、図４中のｇＮＢ１１０−１によるアクション４１７のサポートに対応し得る。ブロック１０１０における機能を行うための手段は、例えば、図１２に示され以下で説明されるような、処理ユニット１２１０、バス１２０５、通信サブシステム１２３０、ワイヤレス通信インターフェース１２３３、アンテナ１２５０ワーキングメモリ１２３５、オペレーティングシステム１２４０、アプリケーション１２４５、および／または、コンピュータシステム１２００の他のハードウェアおよび／またはソフトウェアコンポーネントを含み得る。
【００９２】
[0101]  ブロック１０２０において、機能は、（例えば、図５中のアクション５０８のような）ＵＥから測定ギャップを求める要求を受信することを含む。例えば、測定ギャップを求める要求は、ＮＲ無線リソース制御（ＲＲＣ）メッセージを備え得る。ブロック１０２０における機能を行うための手段は、例えば、図１２に示され以下で説明されるような、処理ユニット１２１０、バス１２０５、通信サブシステム１２３０、ワイヤレス通信インターフェース１２３３、アンテナ１２５０ワーキングメモリ１２３５、オペレーティングシステム１２４０、アプリケーション１２４５、および／または、コンピュータシステム１２００の他のハードウェアおよび／またはソフトウェアコンポーネントを含み得る
[0102]  ブロック１０３０において、機能は、測定ギャップ中に、ＵＥへのＮＲ送信を一時停止し、ＵＥからのＮＲ受信を一時停止することと、を含み、ここで、ＵＥは、測定ギャップ中に第１のＬＰＰメッセージに基づいて少なくとも１つのロケーション測定結果を取得し、少なくとも１つのロケーション測定結果は、無線アクセス技術（ＲＡＴ）独立型位置決め方法についての測定結果、または発展型ユニバーサル地上無線アクセス（Ｅ−ＵＴＲＡ）位置決め方法についての測定結果である。いくつかの実施形態では、ＲＡＴ独立型位置決め方法は、アシスト型全地球航法衛星システム（Ａ−ＧＮＳＳ）、リアルタイムキネマティック（ＲＴＫ）、精密地点測位（ＰＰＰ）、差動Ａ−ＧＮＳＳ、ワイヤレスローカルエリアネットワーク（ＷＬＡＮ）、Ｂｌｕｅｔｏｏｔｈ、センサ、またはそれらの任意の組み合わせを備え得る。さらに、Ｅ−ＵＴＲＡ位置決め方法は、Ｅ−ＵＴＲＡ位置決め方法は、Ｅ−ＵＴＲＡに関する観測到着時間差（ＯＴＤＯＡ）、および／またはＥ−ＵＴＲＡに関する拡張されたセルＩＤ（ＥＣＩＤ）を備え得る。ブロック１０３０は、図５中のブロック５１０に対応し得る。ブロック１０３０における機能を行うための手段は、例えば、図１２に示され以下で説明されるような、処理ユニット１２１０、バス１２０５、通信サブシステム１２３０、ワイヤレス通信インターフェース１２３３、アンテナ１２５０ワーキングメモリ１２３５、オペレーティングシステム１２４０、アプリケーション１２４５、および／または、コンピュータシステム１２００の他のハードウェアおよび／またはソフトウェアコンポーネントを含み得る。
【００９３】
[0103]  ブロック１０４０において、機能は、ＵＥから受信した第２のＬＰＰメッセージをＡＭＦに転送することを含み、ここで、第２のＬＰＰメッセージは、ＵＥについてのロケーション情報を備え、ロケーション情報は、少なくとも１つのロケーション測定結果に基づく。例えば、ブロック１０４０は、ＵＥからＮＡＳトランスポートメッセージ内の第２のＬＰＰメッセージ（例えば、ＬＰＰ提供ロケーション情報メッセージ）を受信することと、図１〜図３に関して前に説明されたようなＡＭＦにＮＡＳトランスポートメッセージ内の第２のＬＰＰメッセージを送ること（または、ｎｇ−ｅＮＢ１８０などのｎｇ−ｅＮＢを介してＡＭＦに第２のＬＰＰメッセージを送ること）と、を含み得る。１つの実施形態では、ロケーション情報は、ＵＥに関するロケーション推定を備える。別の実施形態では、ロケーション情報は、少なくとも１つのロケーション測定結果を備える。ブロック１０４０は、図４中のｇＮＢ１１０−１によるアクション４１９のサポートに対応し得る。ブロック１０４０における機能を行うための手段は、例えば、図１２に示され以下で説明されるような、処理ユニット１２１０、バス１２０５、通信サブシステム１２３０、ワイヤレス通信インターフェース１２３３、アンテナ１２５０ワーキングメモリ１２３５、オペレーティングシステム１２４０、アプリケーション１２４５、および／または、コンピュータシステム１２００の他のハードウェアおよび／またはソフトウェアコンポーネントを含み得る。
【００９４】
[0104]  方法１０００の代替的な実施形態は、１つまたは複数の追加の特徴を有し得る。例えば、図５中のアクション５０９のように、方法１０００は、オプションで、ＵＥにＲＣＣメッセージを送ることを備え、ここで、ＲＲＣメッセージは、ブロック１０１０において、ＵＥによって要求される測定ギャップを確認し得る。さらに、いくつかの実施形態では、少なくとも１つのロケーション測定結果は、Ｅ−ＵＴＲＡに関するＯＴＤＯＡについての基準信号時間差（ＲＳＴＤ）測定結果を備える。これらの実施形態では、方法１０００は、オプションで、（例えば、図５中のアクション５０１のように）アイドル期間のためにＵＥからの要求を受信することと、（例えば、図５中のアクション５０３のように）アイドル期間中に、ＵＥへのＮＲ送信を一時停止し、ＵＥからのＮＲ受信を一時停止することと、ここで、（例えば、図５中のブロック５０６のように）ＵＥは、アイドル期間中に、ＯＴＤＯＡ参照セルについてのＬＴＥタイミングおよび／またはシステムフレーム番号（ＳＦＮ）を取得し、（例えば、図５に関するブロック５０７について説明されるような）測定ギャップを求める要求は、ＬＴＥタイミングおよび／またはＳＦＮに基づく。これらの実施形態では、アイドル期間を求める要求は、ＮＲ無線リソース制御（ＲＲＣ）メッセージを備え得る。これらの実施形態では、方法１０００は、ＵＥにＲＲＣメッセージを送ることをさらに備え、ここで、（例えば、図５中のアクション５０２のように）ＲＲＣメッセージは、アイドル期間を確認する。
【００９５】
[0105]  図１１は、ＵＥ１０５の実施形態のブロック図であり、上述されかつ図１〜図１０に関連して説明された実施形態で説明されるように利用可能である。図１１は、ＵＥ１０５の様々なコンポーネントの一般的な例示を提供することのみが意図されており、それらのうちのいずれかまたは全てが、適宜利用され得ることに留意されたい。言い換えると、ＵＥが機能面で幅広く変化することができるため、それらは、図１１に示されるコンポーネントの一部分のみを含み得る。いくつかの事例では、図１１で図示される要素は、単一の物理デバイスにローカライズされ、および／または様々なネットワーク化されたデバイス間で分散され得、それは異なる物理ロケーションで配列され得ることに留意されたい。
【００９６】
[0106]  ＵＥ１０５は、バス１１０５を介して電気的に結合されることができるハードウェア要素を備えることが示される（またはそうでなければ、適宜通信となり得る）。ハードウェア要素は、限定はされないが、１つまたは複数の汎用プロセッサ、１つまたは複数の専用プロセッサ（デジタル信号処理（ＤＰＳ）チップ、グラフィックス高速化プロセッサ、特定用途向け集積回路（ＡＳＩＣＳ）、および／または同様のものなど）、および／または他の処理構成あるいは手段を備え得る、処理ユニット１１１０を備え得、これらは、本明細書で説明される方法のうちの１つまたは複数を行うように構成され得る。図１１で説明されるように、いくつかの実施形態は、所望の機能に応じて、別個のＤＰＳ１１２０を有し得る。ＵＥ１０５はまた、限定はされないが、１つまたは複数のタッチスクリーン、タッチパッド、マイクロフォン、ボタン、ダイヤル、スイッチ、および／または同様のものを備え得る、１つまたは複数の入力デバイス１１７０と、限定はされないが、１つまたは複数のディスプレイ、発光ダイオード（ＬＥＤ）、スピーカ、および／または同様のものを備え得る、１つまたは複数の出力デバイス１１１５とを備え得る。
【００９７】
[0107]  ＵＥ１０５はまた、限定はされないが、モデム、ネットワークカード、干渉通信デバイス、ワイヤレス通信デバイス、および／またはチップセット（Ｂｌｕｅｔｏｏｔｈデバイス、ＩＥＥＥ８０２．１１デバイス、ＩＥＥＥ ８０２．１５．４デバイス、ＷｉＦｉデバイス、ＷｉＭＡＸデバイス、セルラ通信設備など）、および／または同様のものを備える、ワイヤレス通信インターフェース１１３０を含み得、それらは、ＵＥ１０５が図１〜図３を参照して上述されるネットワークを介して通信することが可能であり得る。ワイヤレス通信インターフェース１１３０は、データがネットワーク、ｅＮＢ、ｎｇ−ｅＮＢ、ｇＮＢ、および／または他のネットワークコンポーネント、コンピュータシステム、および／または本明細書で説明された他の電子デバイスと通信することを許可し得る。通信は、１つまたは複数のワイヤレス通信を、ワイヤレス信号１１３４を送信および／または受信する、アンテナ１１３２を介して搬送され得る。
【００９８】
[0108]  説明された機能によると、ワイヤレス通信インターフェース１１３０は、基地局（例えば、ｅＮＢ、ｎｇ−ｅＮＢおよび／またはｇＮＢ）と、ワイヤレスデバイスおよびアクセスポイントなどの他の地上トランシーバと通信するための別個のトランシーバを備え得る。ＵＥ１０５は、様々なネットワークタイプを備え得る異なるデータネットワークと通信し得る。例えば、ワイヤレス広域ネットワーク（ＷＷＡＮ）は、符号分割多元接続（ＣＤＭＡ）ネットワーク、時分割多元接続（ＴＤＭＡ）ネットワーク、周波数分割多元接続（ＦＤＭＡ）ネットワーク、直交周波数多元接続（ＯＦＤＭＡ）ネットワーク、シングルキャリア周波数分割多元接続（ＳＣ−ＦＤＭＡ）ネットワーク、ＷｉＭａｘ（ＩＥＥＥ８０２．１６）などであり得る。ＣＤＭＡネットワークは、ｃｄｍａ２０００、広帯域ＣＤＭＡ（Ｗ−ＣＤＭＡ（登録商標））などのような、１つまたは複数の無線アクセス技術（ＲＡＴ）を実装し得る。ＣＤＭＡ２０００は、ＩＳ−９５、ＩＳ−２０００、および／またはＩＳ−８５６規格を含む。ＴＤＭＡネットワークは、モバイル通信のためのグローバルシステム（ＧＳＭ）、デジタルアドバンスドモバイル電話システム（Ｄ−ＡＭＰＳ）、または何らかの他のＲＡＴを実装し得る。ＯＦＤＭＡネットワークは、ＬＴＥ、ＬＴＥ Ａｄｖａｎｃｅｄ、新無線（ＮＲ）などを用い得る。５Ｇ、ＬＴＥ、ＬＴＥ Ａｄｖａｎｃｅｄ、ＮＲ、ＧＳＭ、およびＷＣＤＭＡは、３ＧＰＰからの文書に記載されている。Ｃｄｍａ２０００は、「第３世代パートナーシッププロジェクト２（３ＧＰＰ２）」という名称の協会による文書に説明されている。３ＧＰＰおよび３ＧＰＰ２の文書は、公衆に利用可能である。ワイヤレスローカルエリアネットワーク（ＷＬＡＮ）はまた、ＩＥＥＥ８０２．１１ｘネットワークであり得、ワイヤレスパーソナルエリアネットワーク（ＷＰＡＮ）は、Ｂｌｕｅｔｏｏｔｈネットワーク、ＩＥＥＥ８０２．１５ｘ、または何らかの他のタイプのネットワークであり得る。本明細書で説明される技法は、ＷＷＡＮ、ＷＬＡＮ、および／またはＷＰＡＮのあらゆる組み合わせに対しても使用され得る。
【００９９】
[0109]  ＵＥ１０５は、センサ１１４０をさらに含み得る。このようなセンサは、限定はされないが、１つまたは複数の内部センサ（例えば、加速度計、ジャイロスコープ、慣性測定ユニット（ＩＭＵ：inertial-measurement unit）、カメラ、磁気探知機、コンパス、高度計、マイクロフォン、近接センサ、光センサ、気圧計などを備え、それらのうちのいくつかは、本明細書で説明される位置決定を補完および／または容易にするために使用され得る。
【０１００】
[0110]  ＵＥ１０５の実施形態はまた、（アンテナ１１３２を用いていくつかの実装で組み合わせられる）ＧＮＳＳアンテナ１１８２を使用する１つまたは複数のＧＮＳＳ衛星（例えば、ＳＶ１９０）からの信号１１８４を受信することが可能なＧＮＳＳ受信機１１８０を含み得る。そのような測位は、本明細書で説明された技法を補完および／または組み込むために利用され得る。ＧＮＳＳ受信機１１８０は、全地球測位システム（ＧＰＳ）、Ｇａｌｉｌｅｏ、Ｇｌｏｎａｓｓ、Ｃｏｍｐａｓｓ、日本向けの準天頂衛星システム（ＱＺＳＳ：Quasi-Zenith Satellite System）、インド向けのインド地域航方衛星システム（ＩＲＮＳＳ：Indian Regional Navigational Satellite System）、中国向けのＢｅｉｄｏｕ、および／または同様のもののような、ＧＮＳＳシステムのＧＮＳＳ  ＳＶ（例えば、ＳＶ１９０）から、従来の技法を使用して、ＵＥ１０５の位置を抽出し得る。さらに、ＧＮＳＳ受信機１１８０は、１つまたは複数のグローバルなおよび／または地方の航法衛星システムを用いて使用するために関連付けられ得るか、またそうでなければ利用可能であり得る、様々な補強システム（例えば、衛星航法補強システム（ＳＢＡＳ：Satellite Based Augmentation System））を使用し得る。限定はされないが例として、ＳＢＡＳは、インテグリティ情報（integrity information）、ディファレンシャル補正（differential corrections）などを提供する補強システム、例えば、広域補強システム（ＷＡＡＳ）、欧州静止衛星航法オーバレイサービス（ＥＧＮＯＳ）、運輸多目的衛星用衛星航法補強システム（ＭＳＡＳ）、ＧＰＳ支援静止衛星補強航法またはＧＰＳおよび静止衛星補強航法システム（ＧＡＧＡＮ）、および／または同様のものなどを含み得る。よって、本明細書で使用される場合、ＧＮＳＳは、１つまたは複数のグローバルなおよび／または地域の航法衛星システムおよび／または補強システムの任意の組み合わせを含み得、ＧＮＳＳ信号は、ＧＮＳＳのような信号、および／またはそのような１つまたは複数のＧＮＳＳと関連付けられた他の信号を含み得る。
【０１０１】
[0111]  ＵＥ１０５は、メモリ１１６０との通信をさらに含む、および／またはメモリ１１６０と通信し得る。メモリ１１６０は、限定はされないが、ランダムアクセスメモリ（「ＲＡＭ」）、および／または読み取り専用メモリ（「ＲＯＭ」）などの、ローカルおよび／またはネットワークアクセス可能なストレージ、ディスクドライブ、ドライブアレイ、光学ストレージデバイス、ソリッドステートのストレージデバイスを備え得、それらは、プログラム可能、フラッシュアップデート可能、および／または同様のものであり得る。このような記憶デバイスは、限定はされないが、様々なファイルシステム、データベース構造、および／または同様のものを含む、あらゆる適切なデータ記憶を実装するように構成され得る。
【０１０２】
[0112]  ワイヤレスデバイス１０５のメモリ１１６０もまた、オペレーティングシステム、デバイスドライバ、実行可能ライブラリ、および／または１つまたは複数のアプリケーションプログラムなどの他のコードを含む、ソフトウェア要素（図示せず）を備えることができ、それらは、様々な実施形態によって提供されるコンピュータプログラムを備え得る、および／または、本明細書で説明されるような、他の実施形態によって提供される方法を実施するようにおよび／またはシステムを構成するように設計され得る。単に例として、上述された機能に関して説明される１つまたは複数のプロシージャは、ＵＥ１０５（および／またはＵＥ１０５内の処理ユニット）によって実行可能なコードおよび／または命令として実装され得る。よって、一態様では、このようなコードおよび／または命令は、説明される方法に従って１つまたは複数の動作を行うように汎用コンピュータ（または他のデバイス）を構成および／または適合させるように使用され得る。
【０１０３】
[0113]  図１２は、コンピュータシステム１２００の実施形態のブロック図であり、全体的にまたは部分的に、上記の実施形態（例えば、ＬＭＦ１２０、ＡＭＦ１１５、ｇＮＢｓ１１０、ｎｇ−ｅＮＢ１８０、ｅＮＢ１７０など）で説明されるような１つまたは複数のネットワークコンポーネントの機能を提供するために使用され得る。図１２は、様々なコンポーネントの一般的な例示を提供することのみが意図されており、それらのうちのいずれかまたは全てが、適宜利用され得ることに留意されたい。従って、図１２は、比較的別々のまたは比較的より統合された方法で、個々のシステム要素がどのように実現され得るかを広く例示する。加えて、図１２によって例示されるコンポーネントが、単一のデバイスへとローカライズされ得ること、および／または、異なる地理的ロケーションに散在し得る様々なネットワーク化されたデバイスの間で分散され得ることに留意されたい。
【０１０４】
[0114]  コンピュータシステム１２００は、バス１２０５を介して電気的に結合されることができるハードウェア要素を備えることが示される（またはそうでなければ、適宜通信し得る）。ハードウェア要素は、限定はされないが、１つまたは複数の汎用プロセッサ、１つまたは複数の専用プロセッサ（デジタル信号処理チップ、グラフィックス高速化プロセッサ、および／または同様のものなど）、および／または他の処理構成を備え得る、処理ユニット１２１０を含み得、これらは、本明細書で説明される方法のうちの１つまたは複数を行うように構成され得る。コンピュータシステム１２００はまた、限定はされないが、マウス、キーボード、カメラ、マイクロフォン、および／または同様のものを備え得る１つまたは複数の入力デバイス１２１５と、限定はされないが、ディスプレイデバイス、プリンタ、および／または同様のものを備え得る、１つまたは複数の出力デバイス１２２０とを備え得る。
【０１０５】
[0115]  コンピュータシステム１２００は、限定はされないが、ローカルなおよび／またはネットワークアクセス可能なストレージを備え得る、および／または、限定はされないが、ディスクドライブ、ドライブアレイ、光学記憶デバイス、プログラマブルであり、フラッシュ更新可能であるランダムアクセスメモリ（「ＲＡＭ」）および／または読取専用メモリ（「ＲＯＭ」）のような固体の記憶デバイス、および／または同様のものを備え得る、１つまたは複数の非一時的な記憶デバイス１２２５をさらに含み得る（および／または、それらと通信状態にある）。このような記憶デバイスは、限定はされないが、様々なファイルシステム、データベース構造、および／または同様のものを含む、あらゆる適切なデータ記憶を実行するように構成され得る。このようなデータ記憶は、本明細書で説明されるような、ハブを介して１つまたは複数のデバイスに送られる記憶および管理メッセージおよび／または他の情報を使用した、データベースおよび／または他のデータ構造を含み得る。
【０１０６】
[0116]  コンピュータシステム１２００はまた、通信サブシステム１２３０を含み得、それは、ワイヤレス通信インターフェース１２３３によって管理および制御されるワイヤレス通信技術、並びに、ワイヤード技術（イーサネット（登録商標）、同軸の通信、ユニバーサルシリアルバス（ＵＳＢ）、および／または同様のものなど）を備え得る。ワイヤレス通信インターフェース１２３３は、ワイヤレスアンテナ１２５０を介して、ワイヤレス信号１２５５（例えばＮＲまたはＬＴＥに従った信号）を送受信し得る。よって、通信サブシステム１２３０は、モデム、ネットワークカード（ワイヤレスまたはワイヤード）、赤外線通信デバイス、ワイヤレス通信デバイス、および／またはチップセット、および／または同様のものを備え得、それらは、コンピュータシステム１２００が本明細書で説明される通信ネットワークのうちの任意のものまたは全てにおいて、ＵＥ（例えば、ＵＥ１０５）、他のコンピュータシステム（例えば、ＡＭＦ１１５、ｇＮＢ１１０、ｎｇ−ｅＮＢ１８０、および／またはｅＮＢ１７０）、および／または本明細書で説明される任意の他の電子デバイスを含む、それぞれのネットワーク上の任意のデバイスに通信することが可能であり得る。ゆえに、通信サブシステム１２３０は、本明細書の実施形態で説明されるようなデータを送受信するために使用され得る。
【０１０７】
[0117]  多くの実施形態では、コンピュータシステム１２００は、上述されたような、ＲＡＭまたはＲＯＭデバイスを備え得るワーキングメモリ１２３５をさらに備え得る。ワーキングメモリ１２３５内に位置しているとして示されるソフトウェア要素は、オペレーティングシステム１２４０、デバイスドライバ、実行可能なライブラリ、および／または、１つまたは複数のアプリケーション１２４５などの他のコードを備え得、それは、本明細書で説明されるような、様々な実施形態によって提供されるコンピュータプログラムを備え得る、および／または、他の実施形態によって提供される方法を実装するように、および／または、システムを構成するように設計され得る。単に例として、上述された方法に関して説明される１つまたは複数のプロシージャは、コンピュータ（および／またはコンピュータ内の処理ユニット）によって実行可能なコードおよび／または命令として実行され得る；一態様において、その後、そのようなコードおよび／または命令は、説明される方法に従って１つまたは複数の動作を行うように汎用コンピュータ（または他のデバイス）を構成するおよび／または適応させるように使用されることができる。
【０１０８】
[0118]  これらの命令および／またはコードのセットは、上述された記憶デバイス１２２５などの非一時的なコンピュータ可読記憶媒体に格納され得る。いくつかのケースでは、記憶媒体は、コンピュータシステム１２００などのコンピュータシステム内に組み込まれ得る。他の実施形態では、記憶媒体は、コンピュータシステムとは別個（例えば、光ディスクなどの取り外し可能な媒体）であり得る、および／または、記憶媒体が記憶された命令／コードを用いて汎用コンピュータをプログラミングし、構成し、および／または、適合させるために使用され得るように、インストールパッケージ内で提供され得る。これらの命令は、コンピュータシステム１２００によって実行可能である実行可能コードの形式をとり得、および／または（例えば、任意の様々な一般的に利用可能なコンパイラ、インストールプログラム、圧縮／解凍ユーティリティなどを使用する）コンピュータシステム１２００上のコンパイルおよび／またはインストールにおいて、ソースおよび／またはインストール可能コードの形式を取り得、次いで、実行可能コードの形式をとり得る。
【０１０９】
[0119]  特定の要求に従って、かなりの変更が行われ得ることは当業者に対して明らかだろう。例えば、カスタマイズされたハードウェアもまた使用され得る、および／または、特定の要素が、ハードウェア、（アプレットなどのポータブルソフトウェアなどを含む）ソフトウェア、または両方で実装され得る。さらに、ネットワーク入力／出力デバイスなどの他の計算デバイスへの接続が用いられ得る。
【０１１０】
[0120]  加えて、本明細書で説明される実施形態がＵＥ、ロケーションサーバ、および／または基地局において新規の機能をもたらし得ることが、当業者には容易に明らかとなるだろう。
【０１１１】
[0121]  例えば、実施形態は、５Ｇ ＮＲワイヤレスアクセスによってＵＥのロケーションをサポートするためのロケーションサーバにおける機能を行う方法、機能を行うための手段、または機能を行うように構成されたデバイスを含み得、ここで、それら機能は、ＵＥに第１のＬＰＰメッセージを送ることを含み、第１のＬＰＰメッセージは、ロケーション要求を備え、ＵＥのためにＡＭＦおよびサービング５Ｇ基地局を介して送られる。機能は、ＵＥからの第２のＬＰＰメッセージを受信することをさらに含み、ここにおいて、第２のＬＰＰメッセージは、ＵＥについてのロケーション情報を備え、ＡＭＦおよびサービング５Ｇ基地局を介して受信され、ここで、ロケーション情報は、ＵＥによって取得された少なくとも１つのロケーション測定結果に基づいており、少なくとも１つのロケーション測定結果は、ＲＡＴ独立型位置決め方法についての測定結果、またはＥ−ＵＴＲＡ位置決め方法についての測定結果を備える。機能はまた、ロケーション情報に基づいて、ＵＥのためのロケーション測定結果を決定することを含む。
【０１１２】
[0122]  代替的な実施形態は、追加的に以下の特徴のうちの１つまたは複数を含み得る。ロケーション情報は、ロケーション推定または少なくとも１つのロケーション測定結果を備え得る。第１のＬＰＰメッセージは、ＬＰＰ要求ロケーション情報メッセージを備え、第２のＬＰＰメッセージは、ＬＰＰ提供ロケーション情報メッセージを備え得る。ＲＡＴ独立型位置決め方法は、アシスト型全地球航法衛星システム（Ａ−ＧＮＳＳ）、リアルタイムキネマティック（ＲＴＫ）、精密地点測位、差動Ａ−ＧＮＳＳ、ワイヤレスローカルエリアネットワーク（ＷＬＡＮ）、Ｂｌｕｅｔｏｏｔｈ、センサ、またはそれらの任意の組み合わせを備え得る。Ｅ−ＵＴＲＡ位置決め方法は、Ｅ−ＵＴＲＡに関する観測到着時間差（ＯＴＤＯＡ）、またはＥ−ＵＴＲＡに関する拡張型セルＩＤ（ＥＣＩＤ）、またはそれらの任意の組み合わせを備え得る。機能は、ＵＥに第３のＬＰＰメッセージを送ることをさらに含み得、ここで、第３のＬＰＰメッセージは、ＲＡＴ独立型位置決め方法またはＥ−ＵＴＲＡ位置決め方法のための補助データを備え、かつＡＭＦおよびサービング５Ｇ基地局を介して送られ、少なくとも１つのロケーション測定結果は、補助データに少なくとも部分的に基づく。第３のＬＰＰメッセージは、ＬＰＰ提供補助データメッセージを備え得る。少なくとも１つのロケーション測定結果は、Ｅ−ＵＴＲＡに関するＯＴＤＯＡについてのロケーション測定結果を備え、ここにおいて、補助データは、Ｅ−ＵＴＲＡネットワーク（Ｅ−ＵＴＲＡＮ）中の少なくとも１つの発展型ノードＢ、または次世代無線アクセスネットワーク（ＮＧ−ＲＡＮ）中の少なくとも１つの次世代ｅＮＢ（ｎｇ−ｅＮＢ）のための補助データを備え、サービング５Ｇ基地局は、ＮＧ−ＲＡＮ中にある。補助データは、少なくとも１つのｅＮＢによって、または少なくとも１つのｎｇ−ｅＮＢによって送信される測位基準信号（ＰＲＳ）についての構成情報を備え得る。機能は、ＵＥに第４のＬＰＰメッセージを送ることをさらに備え、ここで、第４のＬＰＰメッセージは、ＵＥのＬＰＰ測位能力を求める要求を備え、かつＡＭＦおよびサービング５Ｇ基地局を介して送られる、およびＵＥから第５のＬＰＰメッセージを受信することと、ここで、第５のＬＰＰメッセージは、ＮＲワイヤレスアクセスをＵＥが有するとき、ＵＥのＬＰＰ測位能力を備え得、ＡＭＦおよびサービング５Ｇ基地局を介して受信される。第４のＬＰＰメッセージは、ＬＰＰ要求能力メッセージを備え、第５のＬＰＰメッセージは、ＬＰＰ提供能力メッセージを備える。機能は、ＡＭＦからの指示を受信することをさらに備え、ここで、インジケーションは、ＮＲワイヤレスアクセスによってＬＰＰをＵＥがサポートするとのインジケーションを備え、第４のＬＰＰメッセージを送ることは、インジケーションに基づく。
【０１１３】
[0123]  別の例では、実施形態は、５Ｇ ＮＲワイヤレスアクセスを用いてＵＥのロケーションをサポートするために、５Ｇ新無線（ＮＲ）基地局における機能を行う方法、機能を行うための手段、または機能を行うように構成されたデバイスを含み得る。ここで、機能は、ＵＥにアクセス管理機能（ＡＭＦ）から受信した第１のロングタームエボリューション（ＬＴＥ）測位プロトコル（ＬＰＰ）メッセージを送ることと、測定ギャップ中に、ＵＥへのＮＲ送信を、およびＵＥからのＮＲ受信を一時停止することと、を備え、ここで、ＵＥは、測定ギャップ中に第１のＬＰＰメッセージに基づいて少なくとも１つのロケーション測定結果を取得し、少なくとも１つのロケーション測定結果は、無線アクセス技術（ＲＡＴ）独立型位置決め方法についての測定結果、または発展型ユニバーサル地上無線アクセス（Ｅ−ＵＴＲＡ）位置決め方法についての測定結果である。機能は、ＵＥから受信した第２のＬＰＰメッセージをＡＭＦに送ることをさらに備え、ここで、第２のＬＰＰメッセージは、ＵＥについてのロケーション情報を備え、ロケーション情報は、少なくとも１つのロケーション測定結果に基づく。
【０１１４】
[0124]  代替的な実施形態は、追加的に以下の特徴のうちの１つまたは複数を含み得る。５Ｇ ＮＲ基地局は、ＵＥのためのサービング基地局を備え得る。５Ｇ ＮＲ基地局は、非アクセス階層（ＮＡＳ）トランスポートメッセージ内の第１のＬＰＰメッセージと第２のＬＰＰメッセージとを転送し得る。ＲＡＴ独立型位置決め方法は、アシスト型全地球航法衛星システム（Ａ−ＧＮＳＳ）、リアルタイムキネマティック（ＲＴＫ）、精密地点測位（ＰＰＰ）、差動Ａ−ＧＮＳＳ、ワイヤレスローカルエリアネットワーク（ＷＬＡＮ）、Ｂｌｕｅｔｏｏｔｈ、センサ、またはそれらの任意の組み合わせを備え得る。Ｅ−ＵＴＲＡ位置決め方法は、Ｅ−ＵＴＲＡ位置決め方法は、Ｅ−ＵＴＲＡに関する観測到着時間差（ＯＴＤＯＡ）、またはＥ−ＵＴＲＡに関する拡張型セルＩＤ（ＥＣＩＤ）、またはそれらの任意の組み合わせを備え得る。ロケーション情報は、ＵＥのためのロケーション推定を備え得る。ロケーション情報は、少なくとも１つのロケーション測定結果を備え得る。測定ギャップを求める要求は、ＮＲ無線リソース制御（ＲＲＣ）メッセージを備え得る。機能はまた、ＵＥにＲＲＣメッセージを送ることを備え得、ここで、ＲＲＣは、測定ギャップを確認する。少なくとも１つのロケーション測定結果は、Ｅ−ＵＴＲＡに関するＯＴＤＯＡについての基準信号時間差（ＲＳＴＤ）測定結果を備え得、機能は、アイドル期間を求める要求をＵＥからの受信することと、アイドル期間中に、ＵＥへのＮＲ送信を、およびＵＥからのＮＲ受信を一時停止することと、をさらに備え、ここで、ＵＥは、アイドル期間中にＯＴＤＯＡ参照セルについてのＬＴＥタイミングおよびシステムフレーム番号（ＳＦＮ）を取得し、測定ギャップを求める要求は、ＬＴＥタイミングおよびＳＦＮに基づく。アイドル期間を求める要求は、ＮＲ無線リソース制御（ＲＲＣ）メッセージを備え得る。機能は、ＵＥにＲＲＣメッセージを送ることをさらに備え、ここにおいて、ＲＲＣは、アイドル期間を確認する。
【０１１５】
[0125]  添付の図面に関連して、メモリを備え得るコンポーネントは、非一時的機械可読媒体を備え得る。本明細書で使用される場合、「機械可読媒体（machine-readable medium）」および「コンピュータ可読媒体」という用語は、機械を特定の様式で動作させるデータを提供することに関与する任意の記憶媒体を指す。上述される実施形態では、様々な機械可読媒体は、実行のために、処理ユニットおよび／または他のデバイスに対して命令／コードを提供することに含まれ得る。追加的にまたは代替的に、機械可読媒体は、このような命令／コードを記憶および／または搬送するために使用され得る。多くの実装では、コンピュータ可読媒体は、物理的なおよび／または有形の記憶媒体である。そのような媒体は、不揮発性媒体、揮発性媒体、および送信媒体を含むがそれらに限定されない、多くの形式を取り得る。コンピュータ可読媒体の一般的な形式は、例えば、磁気および／または光学媒体、パンチカード、紙テープ、孔（holes）のパターンを有する任意の他の物理媒体、ランダムアクセスメモリ（ＲＡＭ）、プログラム可能な読み取り専用メモリ（ＰＲＯＭ）、消去可能なＰＲＯＭ（ＥＰＲＯＭ）、フラッシュＥＰＲＯＭ、任意の他のメモリチップまたはカートリッジ、下記で説明されるような搬送波、あるいは、コンピュータが命令および／またはコードを読み取ることができる任意の他の媒体を含む。
【０１１６】
[0126]  本明細書で説明された方法、システム、およびデバイスは、例である。様々な実施形態は、適宜、様々なプロシージャまたはコンポーネントを省略、代用、または追加し得る。例えば、ある特定の実施形態に関して説明される特徴は、他の実施形態において組み合わされ得る。実施形態の異なる態様および要素は、同様の方法で組み合わせられ得る。本明細書で説明される図の様々なコンポーネントは、ハードウェアおよび／またはソフトウェアで具現化され得る。また、技術は発展するため、多くの要素は、それらの特有の例に対して開示の範囲を限定しない例である。
【０１１７】
[0127]「１つの例」、「ある例」、「ある特定の例」、または「例示的な実装」への本明細書全体を通じた参照は、特徴および／または例に関連して説明されている特定の特徴、構造、または特性が、特許請求される主題のうちの少なくとも１つの特徴および／または例に含まれ得ることを意味する。よって、本明細書全体を通じた様々な場所における「一例では」、「ある例」、「ある特定の例では」または「ある特定の実装では」というフレーズ、あるいは他の同様のフレーズの出現は、必ずしも全てが同じ特徴、例、および／または限定を指しているわけではない。さらに、特定の特徴、構造、または特性は、１つまたは複数の例および／または特徴で組み合わせられ得る。
【０１１８】
[0128]  本明細書に含まれている詳細な説明のいくつかの部分は、特定の装置あるいは特殊用途コンピューティングデバイスまたはプラットフォームのメモリ内に記憶された２値デジタル信号に対する動作のアルゴリズムまたは記号表現（symbolic representations）に関して表される。この特定の明細書のコンテキストでは、特定の装置という用語または同様のものは、一旦プログラムされると、プログラムソフトウェアからの命令に従って特定の動作を行う汎用コンピュータを含む。アルゴリズム的記述または象徴的表現は、信号処理または関連技術分野における当業者によってそれらの働きの実体を他の当業者に伝達するために使用される技法の例である。アルゴリズムは、ここでは、また一般的には、所望の結果に至る、首尾一貫した動作のシーケンスおよび／または類似した信号処理であると見なされる。このコンテキストでは、動作または処理は、物理量の物理的な操作を含む。必ずではないが、通常、そのような量は、記憶、転送、組み合わせ、比較、またはそうでなければ操作されることが可能な電気信号または磁気信号の形態をとり得る。主に共通使用の理由で、このような信号をビット、データ、値、エレメント、シンボル、文字、用語、番号、数字、または同様のものと称することが、時として便利であることが証明されている。しかしながら、これらのまたは類似する用語の全てが、適切な物理量に関連付けられるべきであり、単なる便利なラベルにすぎないことが理解されるべきである。別段明記されていない限り、本明細書の説明から明らかなように、本明細書全体を通して、「処理する」、「算出する」、「計算する」、「決定する」、または同様のものなどの用語を利用した説明が、専用コンピュータ、専用コンピューティング装置、または同様の専用電子コンピューティングデバイスのような、特定の装置のアクションまたはプロセスを指すことが理解される。従って、本明細書のコンテキストでは、専用コンピュータまたは同様の専用電子コンピューティングデバイスは、専用コンピュータまたは同様の専用電子コンピューティングデバイスのメモリ、レジスタ、または他の情報記憶デバイス、送信デバイス、またはディスプレイデバイス内の物理的な電子量または磁気量として通常は表される信号を操作または変換することが可能である。
【０１１９】
[0129]  先行する詳細な説明では、数多くの特定の詳細が、特許請求される主題の完全な理解を提供するために記載されてきた。しかしながら、特許請求される主題がこれらの具体的な詳細なしで実施され得ることが当業者によって理解されるだろう。他の事例では、当業者であれば既知である方法および装置は、特許請求される主題を曖昧にしないように、詳細には説明されていない。
【０１２０】
[0130]  「および」、「または」、並びに「および／または」という用語は、本明細書に使用される場合、そのような用語が使用されるコンテキストに少なくとも部分的に依存することもまた予期される多様な意味を含み得る。通常、「または」は、Ａ、Ｂ、またはＣなどのリストを関連付けるように使用される場合、ここで包括的な感覚で使用される、Ａ、Ｂ、およびＣ、並びに、ここで排他的な感覚で使用される、Ａ、Ｂ、またはＣ、を意味することが意図される。加えて、「１つまたは複数の」という用語は、本明細書で使用される場合、任意の特徴、構造、または特性を単数形で説明するために使用され得るか、あるいは、複数の特徴、構造、または特性のまたはそれらの何らかの他の組み合せを説明するために使用され得る。しかし、これが例示的な例にすぎず、特許請求される主題がこの例に限定されないことに留意されたい。
【０１２１】
[0131]  例となる特徴であると現在見なされるものが例示され説明されているが、特許請求される主題から逸脱することなく、様々な他の修正が行われ得ることおよび均等物が置換され得ることが、当業者によって理解されるだろう。さらに、本明細書で説明される中心的な概念から逸脱せずに、多くの修正が特許請求された主題の教示に特定の状況を適合させるために行われ得る。
【０１２２】
[0132]  従って、特許請求される主題は、開示されている特定の例に限定されないが、そのような特許請求される主題はまた、添付される特許請求の範囲内に含まれる全ての態様およびそれらの同等物を含み得ることが意図される。
【図１】
2020522167.tif 000010
【図２】
2020522167.tif 000011
【図３】
2020522167.tif 000012
【図４】
2020522167.tif 000013
【図５】
2020522167.tif 000014
【図６】
2020522167.tif 000015
【図７】
2020522167.tif 000016
【図８】
2020522167.tif 000017
【図９】
2020522167.tif 000018
【図１０】
2020522167.tif 000019
【図１１】
2020522167.tif 000020
【図１２】
2020522167.tif 000021
【国際調査報告】
2020522167.tif 000022
2020522167.tif 000023
2020522167.tif 000024